(57)【要約】【課題】被加熱物を直接加熱する場合であっても、被加熱物を湯煎する加熱と同等となるような加熱を行うことができる加熱調理器を得る。【解決手段】トッププレート４を有する本体１と、トッププレート４上に載置された被加熱物１３を加熱する加熱手段２０と、被加熱物１３の温度を検知する温度検知手段３１と、調理モードの選択操作を入力させる調理モード設定手段１７と、選択された調理モードおよび被加熱物１３の温度に基づき、加熱手段２０を制御する制御手段１８とを備え、トッププレート４上に載置された被加熱物１３の加熱が、該被加熱物１３を湯煎する加熱と同等となるように加熱制御する湯煎モードを、調理モードとして有する。【選択図】図１
2011253639.tif 000002
【特許請求の範囲】
【請求項１】
トッププレートを有する本体と、
前記トッププレート上に載置された被加熱物を加熱する加熱手段と、
前記被加熱物の温度を検知する温度検知手段と、
調理モードの選択操作を行う調理モード設定手段と、
選択された前記調理モードおよび前記被加熱物の温度に基づき、前記加熱手段を制御する制御手段とを備え、
前記トッププレート上に載置された前記被加熱物の加熱が、該被加熱物を湯煎する加熱と同等となるように加熱制御する湯煎モードを、前記調理モードとして有する
ことを特徴とする加熱調理器。
【請求項２】
前記制御手段は、
前記加熱手段の出力を複数段階に制御し、
前記湯煎モードにおける、前記加熱手段の出力が所定値より小さい低出力領域での出力の調整精度が、湯煎モード以外の調理モードにおける前記低出力領域での出力の調整精度より高い
ことを特徴とする請求項１記載の加熱調理器。
【請求項３】
前記制御手段は、
前記加熱手段の出力を複数段階に制御し、
前記湯煎モードにおける前記加熱手段の最小段階の出力が、湯煎モード以外の調理モードにおける最小段階の出力より小さい
ことを特徴とする請求項１または２記載の加熱調理器。
【請求項４】
前記制御手段は、
前記温度検知手段の温度検知結果を周期的に取得し、
前記湯煎モードにおける温度検知周期が、湯煎モード以外の調理モードにおける温度検知周期より短い
ことを特徴とする請求項１〜３の何れか１項に記載の加熱調理器。
【請求項５】
前記制御手段は、
前記温度検知手段の検知値に基づき前記被加熱物の温度を算出し、
前記湯煎モードにおける、所定の温度より小さい低温度域での温度の算出精度が、湯煎モード以外の調理モードにおける算出精度より高い
ことを特徴とする請求項１〜４の何れか１項に記載の加熱調理器。
【請求項６】
少なくとも設定温度の情報が記憶される記憶手段を備え、
前記設定温度は１００℃以下に設定され、
前記制御手段は、前記湯煎モードにおいて、
前記被加熱物の温度が前記設定温度を超えないように、前記加熱手段を制御する
ことを特徴とする請求項１〜５の何れか１項に記載の加熱調理器。
【請求項７】
前記制御手段は、前記湯煎モードにおいて、
所定時間当たりの前記被加熱物の温度の上昇値が所定値以下となるように、前記加熱手段を制御する
ことを特徴とする請求項１〜６の何れか１項に記載の加熱調理器。
【請求項８】
前記制御手段は、前記湯煎モードにおいて、
前記被加熱物の温度が前記設定温度より小さいとき、
所定の加熱時間の間、前記被加熱物を加熱させ、当該被加熱物の温度の変化率が所定値以下となった後、再度、所定の加熱時間の間、当該被加熱物を加熱させる
ことを特徴とする請求項６または７記載の加熱調理器。
【請求項９】
前記記憶手段は、予熱温度の情報が記憶され、
前記制御手段は、前記湯煎モードにおいて、
前記被加熱物の温度が前記予熱温度となった後、前記トッププレート上に載置された前記被加熱物の加熱が、該被加熱物を湯煎する加熱と同等となるように加熱制御する
ことを特徴とする請求項６〜８の何れか１項に記載の加熱調理器。
【請求項１０】
前記湯煎モードにおいて、前記被加熱物の温度が前記予熱温度となったとき、湯煎と同等の調理が可能である旨の情報を表示する表示手段を備えた
ことを特徴とする請求項９記載の加熱調理器。
【請求項１１】
前記記憶手段は、
開始温度、前記開始温度以上の保持温度、および第１の時間の情報が、加熱条件として記憶され、
前記制御手段は、前記湯煎モードにおいて、
前記被加熱物の温度が、前記開始温度から前記保持温度に上昇するまでの時間が、前記第１の時間となるように前記加熱手段を制御する
ことを特徴とする請求項６〜１０の何れか１項に記載の加熱調理器。
【請求項１２】
前記制御手段は、前記湯煎モードにおいて、
前記開始温度と前記保持温度との温度差と、前記第１の時間とに基づき、単位時間当たりの温度上昇値を求め、
前記被加熱物の温度が、前記単位時間当たりの温度上昇値で上昇するように前記加熱手段を制御する
ことを特徴とする請求項１１記載の加熱調理器。
【請求項１３】
前記記憶手段は、
前記加熱条件として、第２の時間の情報が記憶され、
前記制御手段は、前記湯煎モードにおいて、
前記被加熱物の温度が前記保持温度に達した後、当該保持温度を前記第２の時間のあいだ保持するように、前記加熱手段を制御する
ことを特徴とする請求項１１または１２記載の加熱調理器。
【請求項１４】
前記制御手段は、前記湯煎モードにおいて、
前記被加熱物の温度が前記開始温度より低い場合、
前記加熱手段を制御して、前記被加熱物の温度を前記開始温度まで上昇させる
ことを特徴とする請求項１１〜１３の何れか１項に記載の加熱調理器。
【請求項１５】
前記加熱条件を操作入力させる加熱条件設定手段を備え、
前記記憶手段は、
前記加熱条件設定手段から入力された前記加熱条件の情報を記憶する
ことを特徴とする請求項６〜１４の何れか１項に記載の加熱調理器。
【請求項１６】
前記記憶手段は、
複数の料理メニュー毎に、前記加熱条件がそれぞれ記憶され、
前記調理モード設定手段は、
前記調理モードおよび前記料理メニューの選択操作を入力させ、
前記制御手段は、前記湯煎モードにおいて、
選択された前記料理メニューに応じた前記加熱条件に基づき、前記加熱手段を制御する
ことを特徴とする請求項６〜１５の何れか１項に記載の加熱調理器。
【請求項１７】
前記記憶手段は、
料理メニューに対応する前記加熱条件が記憶され、
前記料理メニューとしての第１のチョコレート湯煎メニューに対応する前記加熱条件は、
前記保持温度が４０℃〜５０℃前後の温度に設定された
ことを特徴とする請求項１１〜１６の何れか１項に記載の加熱調理器。
【請求項１８】
前記記憶手段は、
料理メニューに対応する前記加熱条件が記憶され、
前記料理メニューとしての第２のチョコレート湯煎メニューに対応する前記加熱条件は、
前記保持温度が２８℃〜３３℃前後の温度に設定された
ことを特徴とする請求項１１〜１７の何れか１項に記載の加熱調理器。
【請求項１９】
前記記憶手段は、
料理メニューに対応する前記加熱条件が記憶され、
前記料理メニューとしてのバター湯煎メニューに対応する前記加熱条件は、
前記保持温度が３０℃前後の温度に設定された
ことを特徴とする請求項１１〜１８の何れか１項に記載の加熱調理器。
【請求項２０】
前記記憶手段は、
料理メニューに対応する前記加熱条件が記憶され、
前記料理メニューとしてのクリームチーズ発酵メニューに対応する前記加熱条件は、
前記保持温度が２３℃前後の温度に設定された
ことを特徴とする請求項１１〜１９の何れか１項に記載の加熱調理器。
【請求項２１】
前記記憶手段は、
料理メニューに対応する前記加熱条件が記憶され、
前記料理メニューとしてのクリームチーズ凝固メニューに対応する前記加熱条件は、
前記開始温度が２３℃前後に設定され、前記保持温度が５０℃前後の温度に設定され、前記第１の時間が約３０分に設定された
ことを特徴とする請求項１１〜２０の何れか１項に記載の加熱調理器。
【請求項２２】
前記記憶手段は、
料理メニューに対応する前記加熱条件が記憶され、
前記料理メニューとしてのモッツアレラチーズ凝固メニューに対応する前記加熱条件は、
前記保持温度が３２℃前後に設定された
ことを特徴とする請求項１１〜２１の何れか１項に記載の加熱調理器。
【請求項２３】
前記記憶手段は、
料理メニューに対応する前記加熱条件が記憶され、
前記料理メニューとしてのモッツアレラチーズ分離メニューに対応する前記加熱条件は、
前記開始温度が３２℃前後に設定され、前記保持温度が４２℃前後の温度に設定され、前記第１の時間が約３５分に設定された
ことを特徴とする請求項１１〜２２の何れか１項に記載の加熱調理器。
【請求項２４】
前記記憶手段は、
料理メニューに対応する前記加熱条件が記憶され、
前記料理メニューとしてのメレンゲ湯煎メニューに対応する前記加熱条件は、
前記保持温度が４０℃〜６０℃前後の温度に設定された
ことを特徴とする請求項１１〜２３の何れか１項に記載の加熱調理器。
【請求項２５】
前記記憶手段は、
料理メニューに対応する前記加熱条件が記憶され、
前記料理メニューとしてのゼラチン湯煎メニューに対応する前記加熱条件は、
前記保持温度が６０℃〜７０℃前後の温度に設定された
ことを特徴とする請求項１１〜２４の何れか１項に記載の加熱調理器。
【請求項２６】
前記記憶手段は、
料理メニューに対応する前記加熱条件が記憶され、
前記料理メニューとしてのパスタ湯煎メニューに対応する前記加熱条件は、
前記保持温度が５０℃〜６０℃前後の温度に設定された
ことを特徴とする請求項１１〜２５の何れか１項に記載の加熱調理器。
【請求項２７】
前記調理モードおよび前記料理メニューの情報を表示する表示手段と、
前記本体に設けられ、第２の加熱手段を有する調理室と
を備え、
前記記憶手段は、
調理室料理メニューに対応する加熱条件として前記第２の加熱手段の加熱制御に関する情報が記憶され、
前記表示手段は、
前記湯煎モードにおける前記料理メニューの情報と共に、前記調理室料理メニューの情報を表示する
ことを特徴とする請求項１６〜２５の何れか１項に記載の加熱調理器。
【請求項２８】
前記制御手段は、前記湯煎モードにおいて、
選択された前記料理メニューに応じた前記加熱条件に基づき前記加熱手段を制御した後、
前記調理室料理メニューが選択操作された場合、前記調理室料理メニューに対応する加熱条件に基づき、前記第２の加熱手段を制御する
ことを特徴とする請求項２７記載の加熱調理器。
【請求項２９】
前記温度検知手段は、
前記被加熱物から前記トッププレートに伝熱した熱により温度を検出し、
前記制御手段は、
前記温度検知手段の検出値と、前記トッププレートの伝熱特性とに基づき、前記被加熱物の温度を算出して求める
ことを特徴とする請求項１１〜２８の何れか１項に記載の加熱調理器。
【請求項３０】
前記加熱手段は、ジュール熱を発生する発熱体である
ことを特徴とする請求項１〜２９の何れか１項に記載の加熱調理器。
【請求項３１】
前記加熱手段は、高周波電流を流して誘導加熱する加熱コイルであって、
前記加熱コイルに高周波電流を供給する駆動手段と、
前記加熱コイルに供給された電流であるコイル電流を検出するコイル電流検出回路と、
前記駆動手段に供給された電流である入力電流を検出する入力電流検出回路と
を備え、
前記記憶手段は、
前記コイル電流および前記入力電流に応じて前記被加熱物の大きさを判断する判断条件の情報が記憶され、
前記制御手段は、前記湯煎モードにおいて、
前記コイル電流、前記入力電流、および前記判断条件に基づき、前記被加熱物の大きさを判断し、前記被加熱物の大きさに応じて前記加熱手段を制御する
ことを特徴とする請求項１〜２９の何れか１項に記載の加熱調理器。
【請求項３２】
前記加熱コイルは、
中心側に配置された中心側加熱コイルと、該中心側加熱コイルと同心円状に配置された外周側加熱コイルとを有し、
前記制御手段は、
前記被加熱物が所定値より小さいとき、前記外周側加熱コイルに対する高周波電流の供給を停止する
ことを特徴とする請求項３１記載の加熱調理器。
【請求項３３】
前記温度検知手段は、
前記加熱コイルの中心部近傍に配置された中心部温度検知手段と、
前記加熱コイルの中心部から外縁までの間に配置された中心外温度検知手段と
を有し、
前記制御手段は、
前記被加熱物が所定値より小さいとき、前記中心部温度検知手段により検知された前記被加熱物の温度に基づき、前記加熱手段を制御する
ことを特徴とする請求項３１または３２記載の加熱調理器。
【発明の詳細な説明】
【技術分野】
【０００１】
本発明は、加熱調理器に関するものである。
【背景技術】
【０００２】
近年、加熱調理器の利便性の向上・調理作業の省力化等のため、電子制御による自動温度制御や自動調理などの機能を備える傾向にある。
こうした自動調理の機能を備える加熱調理器のひとつとして、例えば「炒め物をする時にフライパンを予熱し、予熱が終了して炒めものが出来る適温に達した後、炒める食材の準備が出来ていなかった場合、食材の準備が出来る一定時間はフライパンの温度を維持するように最低減の火力で加熱を制御し、一定時間後は加熱を終了するようにする」ものが提案されている（例えば、特許文献１参照）。
【先行技術文献】
【特許文献】
【０００３】
【特許文献１】特開２００８−３１１０００号公報（要約、図１）
【発明の概要】
【発明が解決しようとする課題】
【０００４】
従来、食材等を穏やかに加熱する調理法のひとつとして湯煎が知られている。加熱調理器により食材等を湯煎する場合、食材等を投入する被加熱物とは別の調理容器に水を入れて加熱し、被加熱物の一部を水に沈め、内部に水が入らないよう被加熱物の開口部を水面より浮かせ、水（湯）を介して被加熱物を加熱して内部の食材を調理している。
このように従来においては、湯煎調理とは湯を介して間接加熱することが技術常識であったため、被加熱物を直接加熱して湯煎による調理と同等の調理を行おうとする発想がなかった。
【０００５】
例えば、従来の加熱調理器において、小さい火力や低い温度等を設定した制御により穏やかな直接加熱を行うとしても、そもそも、被加熱物を直接加熱して湯煎による調理と同等の調理を行うという技術思想が無いため、最低火力が大きすぎて高温であったり、１００℃以下の低温度帯や低火力域での微細な火力調整や温度検出を行うことができず、食材等の温度変化が急峻になることや、１００℃以下に温度設定できないことや設定できたとしても設定温度を超えて食材等が焦げ付いたり変異することがあり、湯煎による調理と同等の調理ができる筈もない。
【０００６】
また、湯煎調理は、被加熱物とは別の調理容器で水を加熱する必要があるため作業が繁雑であり、また、水による間接加熱を行うことからエネルギーが無駄に消費される、という問題点があった。
【０００７】
また、特許文献１の加熱調理器では、自動調理の機能はフライパンによる炒め料理の予熱に限られたものであり、湯煎による調理と同様の加熱制御を行うことができない、という問題点があった。
【０００８】
また、湯煎調理においては、食材等に応じて適切な温度および時間で加熱調理を行う必要があるが、ユーザーの火力操作等によって被加熱物を所望の温度および時間で加熱するのは容易でない、という問題点があった。
【０００９】
本発明は、上記のような課題を解決するためになされたもので、被加熱物を直接加熱する場合であっても、被加熱物を湯煎する加熱と同等となるような加熱を行うことができる加熱調理器を得るものである。
また、湯煎による調理と同様の加熱調理において、所望の温度および時間で被加熱物の加熱調理を行うことができる加熱調理器を得るものである。
【課題を解決するための手段】
【００１０】
本発明に係る加熱調理器は、
トッププレートを有する本体と、
前記トッププレート上に載置された被加熱物を加熱する加熱手段と、
前記被加熱物の温度を検知する温度検知手段と、
調理モードの選択操作を行う調理モード設定手段と、
選択された前記調理モードおよび前記被加熱物の温度に基づき、前記加熱手段を制御する制御手段とを備え、
前記トッププレート上に載置された前記被加熱物の加熱が、該被加熱物を湯煎する加熱と同等となるように加熱制御する湯煎モードを、前記調理モードとして有する
ものである。
【発明の効果】
【００１１】
本発明は、被加熱物を直接加熱する場合であっても、被加熱物を湯煎する加熱と同等となるような加熱を行うことができる。
【図面の簡単な説明】
【００１２】
【図１】実施の形態１に係る誘導加熱調理器全体を示す斜視図である。
【図２】実施の形態１に係るトッププレート４を取外した状態の本体１の斜視図である。
【図３】実施の形態１に係る誘導加熱調理器の右加熱コイルユニット２３および中央加熱コイルユニット２５を示すブロック図である。
【図４】実施の形態１に係る誘導加熱調理器の左加熱コイルユニット２４を示すブロック図である。
【図５】実施の形態１に係る通常加熱時の被加熱物負荷検知の判定テーブルの一例を示す図である。
【図６】実施の形態１に係る湯煎モードの被加熱物検知の判断テーブルの一例を示す図である。
【図６Ａ】実施の形態１に係る誘導加熱調理器の自動調理における被加熱物推定温度および火力制御の一例を示す図である。
【図７】実施の形態２に係る操作部６の構成および表示部１４のモード設定操作時の表示の一例を示す図である。
【図８】実施の形態２に係る誘導加熱調理器の自動調理における操作・表示、被加熱物推定温度、火力制御の一例を示す図である。
【図９】実施の形態２に係る「マニュアル  ユーザー設定(1)」メニューのスタート操作時における表示の一例を示す図である。
【図１０】実施の形態２に係る「マニュアル  ユーザー設定(1)」メニューの予熱完了・湯煎調理開始時における表示の一例を示す図である。
【図１１】実施の形態２に係る「マニュアル  ユーザー設定(1)」メニューの湯煎調理終了時における表示の一例を示す図である。
【図１２】実施の形態３に係る「チョコレート湯煎(1)」メニューの自動調理時における表示の一例を示す図である。
【図１３】実施の形態３に係る「チョコレート湯煎(2)」メニューの自動調理時における表示の一例を示す図である。
【図１４】実施の形態３に係る「バター湯煎」メニューの自動調理時における表示の一例を示す図である。
【図１５】実施の形態３に係る「クリームチーズ(1)発酵」メニューの自動調理時における表示の一例を示す図である。
【図１６】実施の形態３に係る「クリームチーズ(2)凝固」メニューの自動調理時における表示の一例を示す図である。
【図１７】実施の形態３に係る「モッツアレラチーズ(1)凝固」メニューの自動調理時における表示の一例を示す図である。
【図１８】実施の形態３に係る「モッツアレラチーズ(2)分離」メニューの自動調理時における表示の一例を示す図である。
【図１９】実施の形態３に係る「メレンゲ湯煎」メニューの自動調理時における表示の一例を示す図である。
【図２０】実施の形態３に係る「ゼラチン湯煎」メニューの自動調理時における表示の一例を示す図である。
【図２１】実施の形態３に係る「パスタ湯煎」メニューの自動調理時における表示の一例を示す図である。
【発明を実施するための形態】
【００１３】
実施の形態１．
図１は実施の形態１に係る誘導加熱調理器全体を示す斜視図である。
図１において誘導加熱調理器の本体１の筐体２の上側には、筐体上面３が着脱自在に配置される。筐体上面３の背面側に吸排気口カバー５、中央にトッププレート４、前面側に操作部６が配置される。
【００１４】
操作部６は、後述する加熱条件設定手段１６や調理モード設定手段１７の一部を構成しており、加熱条件や調理条件の入力・設定がされる。
トッププレート４には、３ヶ所の載置部が設けられ、載置部右８、載置部左９、載置部中央１０の３ヶ所の載置部が設けられている。図１では、載置部右８に被加熱物１３が載置された状態を示す。本実施の形態においては、被加熱物１３は誘導加熱が可能な調理用のボールを図示しているが一例であり、フライパンや鍋等の誘導加熱可能な調理容器であれば良く、これに限るものではない。
【００１５】
また、トッププレート４には、後述する表示手段１５の一つである表示部１４が設けられており、本体１の動作状態や操作部６からの入力・操作内容等が表示される。
【００１６】
筐体２の前面側には、中央に調理室扉７が設けられ、調理室扉７の背面側に配置された調理室１１内で調理される被加熱物を調理室１１内へ出し入れできるよう開閉可能となっている。調理室扉７の両側には操作部６が設けられている。また、調理室１１内には、例えばシーズヒーターなどにより構成される第２の加熱手段を設けている。
【００１７】
なお、本実施の形態の調理室１１および、前面側の操作部６の配置は一例であり、これに限るものではなく、調理室１１は筐体２のどちらかの側面に寄せて配置したり、操作部６もどちらかの側面に寄せて配置したり、前面側に操作部６がないなどでも良い。
吸排気口カバー５は通気性があり、冷却風の吸気および排気や調理室１１の排気の気流がスムーズに通過する。
【００１８】
図２は実施の形態１に係るトッププレート４を取外した状態の本体１の斜視図である。
図２に示すように、筐体２内には、複数の電子回路基板１２が配置されており、その一部がトッププレート４の下方にも配置されている。電子回路基板１２には、制御手段１８、インバータ回路１９、コイル電流検出回路２１、入力電流検出回路２２などが実装されている。
【００１９】
トッププレート４の載置部右８の下方には右加熱コイルユニット２３、載置部左９の下方には左加熱コイルユニット２４、載置部中央１０の下方には中央加熱コイルユニット２５が配置されており、加熱手段２０を構成している。
【００２０】
中央加熱コイルユニット２５には、加熱コイル２６と、この加熱コイル２６の中心部近傍に配置された中心部温度検知素子２７とが設けられている。加熱コイル２６はインバータ回路１９と一対で一つの加熱手段２０を構成している。中心部温度検知素子２７はトッププレート４を介する伝熱により被加熱物１３の温度を検知する。
【００２１】
右加熱コイルユニット２３には、加熱コイル２６と、この加熱コイル２６の中心部近傍に配置された中心部温度検知素子２７と、加熱コイル２６の巻線間に配置された中心外温度検知素子２８とが設けられている。なお、中心外温度検知素子２８の配置は、加熱コイル２６の中心部から外縁までの間の何れの位置に配置しても良い。なお、加熱コイル２６は中心側と外周側に分かれて配置されているが、直列に接続されており一つのコイルとして形成され、インバータ回路１９と一対で一つの加熱手段２０を構成している。
【００２２】
左加熱コイルユニット２４は、中心側加熱コイル２９と、この中心側加熱コイル２９と同心円状に配置された外周側加熱コイル３０の２つの加熱コイルを備えている。また、左加熱コイルユニット２４には、中心側加熱コイル２９の中心部近傍に配置された中心部温度検知素子２７と、中心側加熱コイル２９の巻線間に配置された中心外温度検知素子２８とが設けられている。なお、中心外温度検知素子２８の配置は、中心側加熱コイル２９の中心部から外周側加熱コイル３０の外縁までの間の何れの位置に配置しても良い。なお、中心側加熱コイル２９は中心部と中間部に分かれて配置されているが、直列に接続されており一つのコイルとして形成される。
中心側加熱コイル２９および外周側加熱コイル３０にはそれぞれを駆動するインバータ回路１９が設けられ、個別に動作させることができる二つの加熱手段を構成している。つまり、載置部左９は２つの加熱手段２０を備えることになる。
【００２３】
なお、中心部温度検知素子２７は本発明における「中心部温度検知手段」に相当する。
なお、中心外温度検知素子２８は本発明における「中心外温度検知手段」に相当する。
なお、インバータ回路１９は、本発明における「駆動手段」に相当する。
【００２４】
図３は実施の形態１に係る誘導加熱調理器の右加熱コイルユニット２３または中央加熱コイルユニット２５を示すブロック図である。
図３に示すように、加熱手段２０は、加熱コイル２６と、インバータ回路１９とにより構成され、インバータ回路１９より数十ｋＨｚ、数百Ｖの電圧が加熱コイル２６に印加され、加熱コイル２６に高周波の電流が流れる。加熱コイル２６に電流が流れることにより、加熱コイル２６から磁力線が発生し、加熱コイル２６の概上方のトッププレート４上に載置される被加熱物１３に渦電流が生じ、被加熱物１３自体が発熱し加熱調理が行われる。
なお、本実施の形態においては、加熱手段２０の一例として誘導加熱方式を説明しているが、誘導加熱方式に限定するものではない。
【００２５】
温度検知手段３１は、中心部温度検知素子２７や中心外温度検知素子２８により構成される。温度検知手段３１は、例えばサーミスターが使用され素子温度によって抵抗値が変化することにより温度を検出する。つまり、温度検知手段３１は、被加熱物１３からトッププレート４に伝熱した熱により温度を検出する。そして、制御手段１８は、温度検知手段３１の検出値と、トッププレート４の伝熱特性とに基づき、被加熱物１３の温度を算出して求める。
なお、本実施の形態においては、サーミスターを温度検知手段３１としても用いているが、これに限定するものではなく、被加熱物１３から放射される赤外線量を検出して温度を検知する赤外線センサ等でも良い。
【００２６】
なお、被加熱物１３の温度が低い場合（例えば１５０℃以下）、被加熱物１３から放射される赤外線はトッププレート４に吸収されやすくトッププレート４の下に透過する赤外線量は少なくなる。このため赤外線センサをトッププレート４下方に配置した場合には温度制御が難しくなる。よって、赤外線センサを用いる場合にはトッププレート４の上方に配置するのが望ましい。
なお、トッププレート４に伝熱した熱を検出するサーミスターに加えて、赤外線センサをトッププレート４の上方に配置する場合、絶対温度をサーミスターで測定し、変化分を赤外線センサで測定するようにしても良い。これにより、トッププレート４に伝熱した熱により被加熱物１３の温度をサーミスターにより精度良く検出できるとともに、被加熱物１３の温度が急激に変化した場合には赤外線センサにより高速に検出することができる。
【００２７】
コイル電流検出回路２１は加熱コイル２６に流れる電流（コイル電流）を検出し、当該電流値を制御手段１８に入力する。入力電流検出回路２２はインバータ回路１９に入力される電流（入力電流）を検出し、当該電流値を制御手段１８に入力する。制御手段１８は、入力された電流値により被加熱物負荷検知を行う。すなわち、被加熱物１３の載置の有無や被加熱物１３の材質、底面の大きさ、板厚等により電流値は変化するため、この電流値を制御手段１８の駆動制御に用いることにより、加熱動作の適正・安全性の確保や被加熱物１３の効率の良い適切な加熱を行う。
【００２８】
調理モード設定手段１７は、「炒める」、「煮込み」、「揚げ物」、「湯煎」といった調理モードの種類の設定・変更や、その下層にあたる料理メニューにより詳細な料理の種類等の設定・変更を行うことができる。例えば、調理モードの「煮込み」モードの料理メニューとして「カレー」、「シチュー」、「おでん」等が設けられている。また、調理モードの「湯煎」モードの料理メニューとして「マニュアル  ユーザー設定(1)」、「チョコレート湯煎(1)」、「チョコレート湯煎(2)」、「バター湯煎」等が設けられている。詳細は後述する。
【００２９】
なお、本実施の形態における「湯煎」の調理モード（以下「湯煎モード」ともいう）とは、トッププレート４上に載置された被加熱物１３を直接加熱して、湯煎による加熱と同等の加熱を行う調理モードをいう。なお、湯煎による加熱とは、被加熱物１３とは別の調理容器に水を入れて加熱し、この調理容器内の水（湯）を介して、被加熱物１３を加熱することをいう。
【００３０】
加熱条件設定手段１６は、手動調理（単純に加熱調理するのみ）や自動調理において、火力、温度、昇温速度、加熱時間等の加熱条件を設定・変更するための操作メニュー・入力手段である。調理モードに応じて必要となる加熱条件のパラメータの設定・変更が可能となっている。
【００３１】
表示手段１５は、設定された調理モードや加熱条件、設定・入力に必要なメニュー・操作指示、本体１の状態（不具合等によるエラー）や自動調理の進行状況などが表示される。
【００３２】
制御手段１８は、設定された調理モード・加熱条件に応じたシーケンスに従い、温度検知手段３１、入力電流検出回路２２、およびコイル電流検出回路２１からの情報、並びに、制御手段１８内のタイマー機能による時間等に応じて、加熱手段２０の制御を行い手動調理または自動調理により加熱調理を行う。
また、制御手段１８は、図示しない記憶手段を備え、料理メニューに応じた１または複数の加熱条件の情報が記憶される。加熱条件の詳細は後述する。
【００３３】
図４は実施の形態１に係る誘導加熱調理器の左加熱コイルユニット２４を示すブロック図である。
ここでは、上記図３に示した構成と異なる部分を説明する。なお、図３に示した右加熱コイルユニット２３、中央加熱コイルユニット２５と同一部分には同一の符号を付する。
【００３４】
図４において、加熱手段２０には中心側加熱コイル２９と外周側加熱コイル３０との２つの加熱コイルが設けられるとともに、それぞれにインバータ回路１９を備えている。制御手段１８は個別にインバータ回路１９を制御して中心側加熱コイル２９と外周側加熱コイル３０とを独立して動作可能としている。また、コイル電流検出回路２１および入力電流検出回路２２も、中心側加熱コイル２９および外周側加熱コイル３０並びにそれぞれのインバータ回路１９に設けられ、個別に被加熱物負荷検知を可能としている。
【００３５】
図５は実施の形態１に係る通常加熱時の被加熱物負荷検知の判定テーブルの一例を示す図である。
制御手段１８の記憶手段には、例えば図５に示すような被加熱物負荷検知の判定テーブルの情報が予め記憶される。制御手段１８は、記憶された判定テーブルを用いて、コイル電流検出回路２１および入力電流検出回路２２から伝達された電流値の情報により、被加熱物１３の有無、材質等を判断する。
なお、判定テーブルの情報は本発明における「判断条件の情報」に相当する。
【００３６】
図５において、縦軸に入力電流検出回路２２の検出値から算出したインバータ回路１９への入力電流をとり、横軸にコイル電流検出回路２１の検出値から算出した加熱コイルへ流れるコイル電流をとる。制御手段１８は検知した入力電流およびコイル電流の判定テーブル上のポジションにより被加熱物負荷検知を行う。
【００３７】
制御手段１８は、検知した入力電流およびコイル電流が、通常調理時適正領域内であれば、加熱調理を行うが、領域外であれば加熱調理は行わない。
【００３８】
また、通常調理時適正領域内において、そのポジションにより、鍋の材質の判定として例えば鉄とステンレスの違いの判定や、鍋の底面の大きさの判定等を行う。そして、制御手段１８はインバータ回路１９による駆動条件の変更等を行い、より効率の適切な加熱を行う制御を行う。
【００３９】
本実施の形態においては、図５に示すようにアルミ鍋は、通常調理時適正領域外となり加熱調理は行わないが、これは一例でありこの限りではない。
例えば加熱コイル２６やインバータ回路１９等がアルミ鍋の加熱に対応可能であれば、アルミ鍋の領域を通常調理時適正領域として加熱調理が可能とする。このように、加熱手段２０の対応状況により適正領域の判定テーブルは異なり、加熱手段２０に応じた適切な判定テーブルを用いるようにしても良い。
【００４０】
図６は実施の形態１に係る調理モードが「湯煎」の場合の被加熱物検知の判断テーブルの一例を示す図である。
後述する湯煎モードを実行する場合は、被加熱物１３としての調理用のボールや小鍋など底面平面部の直径が小さいもの（１２ｃｍ未満）が用いられるケースが多いが、通常の被加熱物検知の判断テーブルでは、通常調理時適正領域外となり加熱動作ができない場合がある。これを回避するために、湯煎モードの場合は専用の判断テーブルを用いる。
【００４１】
図６に示すように、湯煎モード用の被加熱物検知の判断テーブルにおいては、通常加熱の場合に比べ、入力電流値が低い領域に適正範囲が追加され、調理用のボールや小鍋などの底面平面部の小さいものも加熱可能となっている。
併せて安全性確保や適切な加熱を行う等のため、インバータ回路１９の駆動条件、火力制限、温度検知手段３１に基づく温度算出の関係式・テーブル等も専用のものを用いても良い。
【００４２】
次に調理動作について説明する。
【００４３】
このように構成された誘導加熱調理器においては、操作部６の操作により、制御手段１８からインバータ回路１９が制御され、各加熱コイルユニットが駆動されトッププレート４上の載置部に載置された被加熱物１３が加熱され加熱調理が行われる。
ここでは本発明と主に関係する湯煎モードによる加熱調理について説明する。
【００４４】
通常の湯煎調理では、被加熱物１３を収納可能な一回り大きい別の調理容器に水を入れ、一回り大きい別の調理容器を加熱し被加熱物１３の一部を水に沈め、内部に水が入らないよう被加熱物１３の開口部は水面より浮かせ、水を介して間接的に被加熱物１３を加熱し内部の食材を調理している。
【００４５】
本実施の形態における湯煎モードにおいては、水を介さず、被加熱物１３を直に加熱しながらも、水を介して加熱するのと同等の調理を行うものである。
【００４６】
すなわち、湯煎モードにおいては、次のような効果を得るものである。
被加熱物１３の温度は１００℃以下とし、被加熱物１３内の食材等の焦げ付きを防止する。
被加熱物１３内の食材等を低い温度で緩やかに加熱を行い、急な温度の変化による食材を構成する結晶の変化を抑える。
被加熱物１３内の食材を構成する蛋白質の凝固温度よりも低い温度で加熱することにより食材が硬くなるのを防止することや、蛋白質の粘度が高くなる温度に加熱して泡立てる調理を行い泡立ちを良くする。
低温で融解する食材を溶かした状態で保温することにより不純物を沈殿させる。
このように従来の加熱モードで直接加熱する場合に行うことができない調理作業を行うことができ、また、従来の加熱モードで直接加熱する場合には得ることができない調理効果を得ることが可能となる。以下、具体的に説明する。
【００４７】
［手動調理］
まず、湯煎モードにおいて、ユーザーの操作によって火力を調節する手動調理の動作について説明する。
【００４８】
（火力設定）
手動調理においては、制御手段１８は、加熱手段２０の出力（火力）を複数段階に制御する。
湯煎モード以外の調理モードでは、例えば加熱手段２０の出力がゼロから最大電力までが８段階に設定され、ユーザーは操作部６を操作して上記８段階の火力の何れかを入力する。制御手段１８は、操作部６の操作に基づいて、加熱手段２０の火力を段階的に制御する。またこのとき、表示部１４には、上記８段階の火力のうち設定された火力表示をするようにしても良い。
【００４９】
一方、湯煎モードでは、制御手段１８は、湯煎モード用の加熱制御に切り替えて、加熱手段２０の出力が所定値より小さい低出力領域での出力の段階数が、湯煎モード以外の調理モードにおける低出力領域での出力の段階数より多くする。すなわち、低出力領域での出力の調整精度が、湯煎モード以外の調理モードにおける低出力領域での出力の調整精度より高くなるようにする。
また、湯煎モードでは出力の下限が下がり、通常よりもより低出力の火力を選択可能となる。すなわち、湯煎モードにおける加熱手段２０の最小段階の出力が、湯煎モード以外の調理モードにおける最小段階の出力より小さくなるようにする。
例えば、上記８段階のうち通常の第１段目１５０Ｗの火力よりさらに低い火力の１００Ｗまで選択可能となるとともに、通常の第２段目３００Ｗ以下の火力（低出力領域）を、５段階等さらに複数段階の細かな火力に制御する。この時、制御手段１８は、通常の第１段目の火力以下となるよう、パルス幅変調（ＰＷＭ）制御のデューティ比の制御を行うことや、インバータ回路１９では回路の切替が行われ接続されるスナバコンデンサが変更される。ユーザーは操作部６を操作して上記８段階の火力の何れか、または拡張された低出力領域の複数段階に火力設定を入力する。またこのとき、表示部１４には、湯煎モード用の火力段階（火力選択の範囲とステップ）が表示されるとともに、制御手段１８により設定された火力表示をするようにしても良い。
このように、湯煎モードにおける手動調理では、ユーザーは操作部６を操作して低出力領域における微細な火力調整を行うことができる。
【００５０】
なお、例えば左加熱コイルユニット２４のように加熱コイルを複数備える場合、火力を投入する加熱コイルを所定時間ごとに順次変えるようにしても良い。例えば中心側加熱コイル２９に設定された火力を所定時間だけ投入した後、外周側加熱コイル３０に設定された火力を所定時間投入し、再び、中心側加熱コイル２９に火力を所定時間投入する。このように、加熱コイルが複数の場合に投入するコイルを順次変えることで、被加熱物１３の底部のうち加熱コイル近傍の温度が上昇するような加熱ムラを軽減することができる。
【００５１】
（温度検出）
制御手段１８は、温度検知手段３１の温度検知結果を周期的に取得する。また、取得した検知温度を表示部１４に表示させる。これによりユーザーは、被加熱物１３の温度が所望の温度となるように手動により火力設定を行う。
また、湯煎モードでは、制御手段１８は、温度検知手段３１の温度検知結果を取得する温度検知周期が、湯煎モード以外の調理モードにおける温度検知周期より短くする。
これにより、湯煎モードでは被加熱物１３の温度変化をより詳細に検出することができ、被加熱物１３が所望の温度となるようにより適切な火力設定をすることが可能となる。
また、制御手段１８は、湯煎モードにおいては、温度検知手段３１からの検知結果から被加熱物１３の温度を算出する算出式の係数・定数等を変更する、低温度域用の補正をおこなう算式やテーブルを追加する、算出式（アルゴリズム）を変更するなどして低温域での温度検知に適したものとする。これにより、湯煎モードでは被加熱物１３の低温度域における温度をより精度良く検出することができ、被加熱物１３が所望の温度となるようにより適切な火力設定をすることが可能となる。
さらに、制御手段１８は、湯煎モードにおいては、温度検知手段３１からの検知結果から被加熱物１３の温度を算出する算出式を変更して、低温域での温度検知に適したものに変更するようにしても良い。
【００５２】
［自動調理］
次に、湯煎モードにおいて、湯煎する場合における湯温を設定温度として、この設定温度により湯煎する加熱と同等の加熱をする自動調理の動作について説明する。
【００５３】
まず、ユーザーの操作により、操作部６の調理モード設定手段１７が操作され、湯煎モードが選択される。
ユーザーは、加熱条件設定手段１６を操作し、加熱条件として設定温度を入力する。制御手段１８は、入力された設定温度を記憶手段に記憶させる。ここで、設定温度は１００℃以下の温度に設定される。なお、制御手段１８は、１００℃を超える設定温度の入力を受け付けないようにしても良い。また、制御手段１８は、入力された設定温度に基づいて、表示部１４に「湯煎○○℃相当」などの表示をさせるようにしても良い。
なお、設定温度の入力は、後述する操作部６の火力／温度＋キー３５および火力／温度−キー３６を操作することにより行う。なお、湯煎モードでは設定温度の調整幅を細かく設定できるようにして設定温度の微調整を行うようにしても良い。例えば他のモードでは設定温度の調整を５℃間隔で調整するのに対し、湯煎モードでは１℃間隔で微調整可能とする。
【００５４】
次に、ユーザーは操作部６から自動調理を開始させる旨の操作を入力する。
制御手段１８は、湯煎モードにおける自動調理を開始し、被加熱物１３の温度が設定温度を超えないように、加熱手段２０を制御する。具体例を図６Ａにより説明する。
【００５５】
図６Ａは実施の形態１に係る誘導加熱調理器の自動調理における被加熱物推定温度および火力制御の一例を示す図である。図６Ａにおいては、被加熱物１３の温度を約１５℃（室温）から約３５℃まで昇温させる湯煎モードの加熱制御を示している。
まず、制御手段１８は、被加熱物１３の温度が設定温度より低い場合、加熱手段２０を制御して、予め定めた所定の火力（例えば火力３）を投入する。そして、設定温度に近い温度になるにつれて投入される火力は下げられ、最低火力まで下げられた後は間欠での加熱となる。間欠においても、最低火力の投入される時間は設定温度に近くなるにつれ短時間としてより低火力にするとともに、火力を停止しながら被加熱物１３の時間遅れによる温度変化を待つ制御も行われる。
【００５６】
このような間欠的な火力投入により、制御手段１８は、湯煎モードにおいて、所定時間当たりの被加熱物１３の温度の上昇値が所定値以下となるように、つまり、被加熱物１３の温度上昇の傾きが所定値以下の緩やかな傾きとなるように、加熱手段２０を制御する。
図６Ａの例では、加熱開始から１分経過までは火力３を投入して被加熱物１３の温度を約２５℃まで上昇させ、２分経過までは温度の上昇に伴い投入火力を火力１に低下させる。そして、被加熱物１３の温度が約３０℃に上昇した時点で、火力１を間欠的に投入する。
【００５７】
この間欠的な火力投入においては、検知温度の時間遅れを考慮して、温度検知手段３１により検出した被加熱物１３の温度の変化率が所定値以下となった後、再度、加熱を開始するような制御を行う。
図６Ａの例では、２分経過時に一旦、火力投入を停止させ、被加熱物１３の温度の変化率が略ゼロ（傾きが略ゼロ）となったとき、再度、火力投入を開始する。また、約２．７分経過時に再度、火力投入を停止させ、温度の変化率が略ゼロになったとき、再度、火力投入を開始している。以降、設定温度となるまで間欠的な火力投入を繰り返す。
さらに、被加熱物１３の温度が設定温度に近づくのにつれて、火力の投入時間が短くなるように設定している。なお、この投入時間は、被加熱物１３の温度と設定温度との温度差により算出して定めても良いし、被加熱物１３の温度の上昇率などによって定めても良い。
【００５８】
例えば、湯煎モードの加熱制御開始時の被加熱物１３の温度と設定温度との差分を求め、この差分によって最初の加熱時の火力と加熱時間を決める。例えば差分が大きいほど火力を大きく、最初の加熱時間が長くなるように設定する。
【００５９】
また、湯煎モードの加熱制御においては、火力と加熱時間と温度上昇の傾きを基に、加熱対象となる被加熱物１３の特性に応じて加熱の最適化を行うようにしても良い。例えば、加熱制御を開始したあと逐次温度上昇の傾きを求め、当該被加熱物１３の温度上昇の傾きに応じて火力と加熱時間とを設定する。例えば傾きが大きいほど火力を小さく、加熱時間が短くなるように設定する。
【００６０】
また、湯煎モードの加熱制御を開始する際には、制御手段１８は、温度検知手段３１の温度検知結果からトッププレート４の温度を監視し、温度の変化率が所定値以上の場合は安定するまで待ってから湯煎を開始するようにする。これにより、例えば温度が高く湯煎調理に適さない被加熱物１３がトッププレート４上に載置された場合には、当該被加熱物１３の温度が湯煎調理に適した温度となった後に湯煎モードによる加熱制御を開始することができる。
【００６１】
また、温度検知手段３１の構成として例えばサーミスターを用いて、被加熱物１３からトッププレート４に伝熱した熱により温度を検出する場合、検知温度の時間遅れを考慮して、次のような制御を行うようにしても良い。
加熱開始からサーミスターの検出温度が上昇し始めるまでの時間（上昇遅延時間）を測定する。次に、加熱を停止してからサーミスターの検出温度が下降し始めるまでの時間（下降遅延時間）を測定する。そして、下降遅延時間から上昇遅延時間を減算した値を、被加熱物１３の温度上昇が落ち着くまでの時間（安定時間）とする。間欠的な火力投入においては、加熱停止後、上記の安定時間を経過したあと次の加熱を行う。このように、トッププレート４を熱が伝導してサーミスターに到達するまでの時間と、加熱停止後、被加熱物１３の熱が分散し温度が下がり始める時間との関係により、加熱停止期間を最適化することで、間欠的な火力投入での温度低下幅を少なくすることができる。
【００６２】
このような加熱制御により、被加熱物１３の温度が、湯煎での湯温に相当する設定温度を超えることが無く、また、湯煎による加熱のように被加熱物１３の温度上昇を緩やかにすることができ、被加熱物１３を直接加熱する場合であっても、被加熱物１３を湯煎する加熱と同等となるような加熱を行うことができる。
【００６３】
［予熱］
湯煎による調理では、被加熱物１３を予め所望の温度に加熱しておき、当該温度となった時に食材等を投入して湯煎による調理を行う場合がある。
また、湯煎モードによる調理を行う前に、例えば天ぷら調理などの加熱調理を行いトッププレート４が高温となっているとき、当該トッププレート４に載置した被加熱物１３が高温となり湯煎による調理に適さない場合がある。
このようなことから、湯煎モードにおいては、上記の動作に加え、被加熱物１３を所望の開始温度となった後、当該被加熱物１３を湯煎する加熱と同等となるように加熱制御するようにしても良い。具体例を以下に説明する。
【００６４】
まず、ユーザーの操作により、操作部６の調理モード設定手段１７が操作され、湯煎モードが選択される。
ユーザーは、加熱条件設定手段１６を操作し、加熱条件として開始温度を入力する。制御手段１８は、入力された開始温度を記憶手段に記憶させる。
なお、開始温度の入力は、後述する操作部６の火力／温度＋キー３５および火力／温度−キー３６を操作することにより行う。なお、湯煎モードでは温度の調整幅を細かく設定できるようにして温度の微調整を行うようにしても良い。例えば１℃間隔で微調整可能とする。
【００６５】
次に、ユーザーは操作部６から予熱調理を開始させる旨の操作を入力する。
制御手段１８は、湯煎モードにおける予熱調理を開始し、被加熱物１３の温度が開始温度を超えているか否かを判断する。
被加熱物１３の温度が開始温度を超えている場合、被加熱物１３の温度が開始温度となるまで待機する。なお、このとき、制御手段１８は、表示部１４に開始温度を超えている旨の表示をさせるようにしても良い。
なお、湯煎モードにおける予熱調理を開始する際には、制御手段１８は、温度検知手段３１の温度検知結果からトッププレート４の温度を監視し、温度の変化率が所定値以上の場合は安定するまで待ってから湯煎を開始するようにする。これにより、例えば温度が高く湯煎調理に適さない被加熱物１３がトッププレート４上に載置され、検知温度が急激に上昇した場合であっても、当該被加熱物１３の温度が湯煎調理に適した温度に安定した後に湯煎モードによる加熱制御を開始することができる。
【００６６】
被加熱物１３の温度が開始温度以下である場合、制御手段１８は、加熱手段２０を制御して、予め定めた所定の火力（例えば火力３）を投入する。そして、開始温度に近い温度になるにつれて投入される火力は下げられ、最低火力まで下げられた後は間欠での加熱となる。間欠においても、最低火力の投入される時間は開始温度に近くなるにつれ短時間としてより低火力にするとともに、火力を停止しながら被加熱物１３の時間遅れによる温度変化を待つ制御も行われる。
【００６７】
制御手段１８は、被加熱物１３の温度が開始温度となったとき、表示部１４に湯煎と同等の調理が可能である旨の情報を表示させる。
【００６８】
また、制御手段１８は、被加熱物１３の温度が開始温度となった後、上述した自動調理の動作により、トッププレート４上に載置された被加熱物１３の加熱が、該被加熱物１３を湯煎する加熱と同等となるように加熱制御する。
【００６９】
なお、ここでは自動調理を行う場合を説明したが、本発明はこれに限らず、手動調理を行う場合においても、被加熱物１３の温度が開始温度となったとき、湯煎と同等の調理が可能である旨の情報を表示部１４に表示させるようにしても良い。
【００７０】
以上のように本実施の形態においては、トッププレート４上に載置された被加熱物１３の加熱が、該被加熱物１３を湯煎する加熱と同等となるように加熱制御する湯煎モードを、調理モードとして有する。
このように、湯煎調理とは湯を介して間接加熱するという従来の技術常識を覆し、被加熱物を直接加熱して湯煎による調理と同等の調理を行おうとする、これまでにない新たな着想に基づき、湯煎モードを調理モードとして有する加熱調理器を得ることができる。
【００７１】
また、制御手段１８は、加熱手段２０の出力を複数段階に制御し、湯煎モードにおける、加熱手段２０の出力が所定値より小さい低出力領域での出力の段階数が、湯煎モード以外の調理モードにおける低出力領域での出力の段階数より多い。
このため、低火力域での微細な火力調整を行うことができる。
よって、被加熱物１３を直接加熱する場合であっても、被加熱物１３を湯煎する加熱と同等となるような加熱を行うことができる。
また、別の容器の湯を沸かして湯煎調理を行う場合と比較して、直接加熱することにより、湯煎調理の手間が簡素化することができ、家事労働を軽減することができる。
また、別の容器で湯を沸かす必要がないので、湯煎調理に使用する水を節約することができ、環境負荷を低減することができる。
【００７２】
また、制御手段１８は、温度検知手段３１の温度検知結果を周期的に取得し、湯煎モードにおける温度検知周期が、湯煎モード以外の調理モードにおける温度検知周期より短い。
このため、湯煎モードでは被加熱物１３の温度変化をより詳細に検出することができ、被加熱物１３が所望の温度となるようにより適切な火力設定をすることが可能となる。
よって、被加熱物１３を直接加熱する場合であっても、被加熱物１３を湯煎する加熱と同等となるような加熱を行うことができる。
【００７３】
また、少なくとも設定温度の情報が記憶される記憶手段を備え、設定温度は１００℃以下に設定され、制御手段１８は、湯煎モードにおいて、被加熱物１３の温度が設定温度を超えないように、加熱手段２０を制御する。
このため、湯煎する場合における湯温に相当する温度を設定温度として設定することができ、当該設定温度の湯により湯煎する加熱と同等の加熱を行うことができる。
【００７４】
また、制御手段１８は、湯煎モードにおいて、所定時間当たりの被加熱物１３の温度の上昇値が所定値以下となるように、加熱手段２０を制御する。
また、制御手段１８は、湯煎モードにおいて、被加熱物１３の温度が設定温度より小さいとき、所定の加熱時間の間、被加熱物１３を加熱させ、当該被加熱物１３の温度の変化率が所定値以下となった後、再度、所定の加熱時間の間、当該被加熱物１３を加熱させる。
このため、被加熱物１３の急激な温度の変化を軽減することができ、被加熱物１３を直接加熱する場合であっても、被加熱物１３を湯煎する加熱と同等となるような加熱を行うことができる。
【００７５】
また、記憶手段は、開始温度の情報が記憶され、制御手段１８は、湯煎モードにおいて、被加熱物１３の温度が開始温度となった後、トッププレート４上に載置された被加熱物１３の加熱が、該被加熱物１３を湯煎する加熱と同等となるように加熱制御する。
このため、被加熱物１３を所望の開始温度となった後、当該被加熱物１３を湯煎する加熱と同等となるように加熱制御することができる。
また、湯煎モードによる調理を行う前に、例えば天ぷら調理などの加熱調理を行いトッププレート４が高温となっているときであっても、当該トッププレート４に載置した被加熱物１３が所望の開始温度となった後に、被加熱物１３を湯煎する加熱と同等となるように加熱制御することができる。
【００７６】
また、湯煎モードにおいて、被加熱物１３の温度が開始温度となったとき、湯煎と同等の調理が可能である旨の情報を表示する表示部１４を備えた。
このため、ユーザーは、被加熱物１３の温度が開始温度となったことを知ることができる。
【００７７】
実施の形態２．
本実施の形態２では、湯煎による調理と同等の加熱調理を行う湯煎モードにおいて、所望の温度および時間で被加熱物１３の加熱調理を行う形態について説明する。
なお、本実施の形態における誘導加熱調理器の構成は上記実施の形態１と同様であり、同一部分には同一の符号を付する。
【００７８】
まず、調理モードおよび料理メニューを選択する「モード設定操作」と、ユーザーの操作により加熱条件を設定または変更する「加熱条件の設定・変更」の動作について説明する。
【００７９】
［モード設定操作］
図７は実施の形態２に係る操作部６および表示部１４のモード設定操作時の表示の一例を示す図である。
図７を用いて、加熱条件設定手段１６、調理モード設定手段１７の設定の操作・表示を説明する。
ユーザーの操作により操作部６の調理モードキー４１が押されると、制御手段１８は調理モードを順次切り替える。そして制御手段１８は表示部１４に切り替えた調理モードの情報を表示させる。
例えば図７に示すように、調理モードキー４１が押される度に、表示部１４の調理モード選択マーカー４４が、調理モード表示４３に示される調理モードを左に移動して左端まで移動すると右端に戻る。本実施の形態では『炒め物』、『揚げ物』、『湯煎』、『炒め物』の順である。本実施の形態においては、モードは３つのみとなっているが、この限りではなく、『煮込み』モード等の他の調理モードや『手動』モードとの切り替えも含めるなどしても良く、湯煎モードが含まれ、選択可能な調理モード選択機能を備えれば良い。
【００８０】
制御手段１８は、湯煎モードが選択されると、表示部１４の料理メニュー表示４５に、湯煎モードに含まる料理メニューを表示させる。
そして、ユーザーの操作により料理メニューキー４２が押されると、制御手段１８は、料理モードを順次切り替える。そして制御手段１８は表示部１４に切り替えた料理メニューの内容を料理メニュー表示４５に表示させる。
この料理メニューの情報は、予め、記憶手段に記憶させても良いし、ユーザーの操作により適宜入力するようにしても良い。
ここでは、加熱条件をユーザーの操作により設定する料理メニューである『マニュアル  ユーザー設定(1)』の場合について説明する。なお、このユーザー設定の料理メニューを複数設けるようにしても良い。
【００８１】
なお、調理モードキー４１および料理メニューキー４２は、調理モード設定手段１７を実施・構成する一例である。本発明はこれに限らず、例えば表示部１４上に配置したタッチパネルなどにより、調理モード設定手段１７を構成しても良い。
【００８２】
ユーザーの操作により、『マニュアル  ユーザー設定(1)』が選択されると、制御手段１８は、記憶手段に記憶した『マニュアル  ユーザー設定(1)』に対応する加熱条件の情報を取得し、この加熱条件の情報を表示部１４に表示させる。ここでは、表示部１４に開始温度表示４６、保持温度表示４７、上昇時間表示４８、保持時間表示４９の設定・変更可能な加熱条件が表示される。
【００８３】
湯煎モードにおいては、加熱条件として、被加熱物１３を予熱して湯煎調理の昇温を開始する際の温度である「開始温度」、被加熱物１３の温度を上昇させる目標値であり、温度が上昇した後に温度を維持する「保持温度」、開始温度から保持温度に至る昇温にかける時間である「上昇時間」、保持温度を維持する時間である「保持時間」、を設定する。
【００８４】
なお、ここでは開始温度から保持温度まで昇温する場合を説明するが本発明はこれに限るものではなく、開始温度と保持温度とを同一の温度とし、開始温度を維持するようにしても良い。また、開始温度を、湯煎モード開始時点での検出温度（室温）に設定するようにしても良い。つまり、被加熱物１３の予熱を行わずに湯煎調理を開始するようにしても良い。
【００８５】
なお、上昇時間は本発明における「第１の時間」に相当する。
なお、保持時間は本発明における「第２の時間」に相当する。
【００８６】
この加熱条件は一例であり、これに限るものではなく湯煎を再現調理できる加熱条件の設定であれば良く、単純に被加熱物の湯煎温度のみの設定や、『湯煎○○℃相当』といった湯煎するお湯の温度に応じた火力のみを加熱条件として被加熱物の温度は設定せずユーザーが食品用の温度計にて被加熱物内の調理食材の温度を測定しながら火力を調整する前提の湯煎モードとした加熱条件でも良い。
【００８７】
［加熱条件の設定・変更］
次に、加熱条件をユーザーの操作により設定または変更する動作について、図７を用いて説明する。
ユーザーは、加熱条件の設定・変更を行う際、表示部１４の表示を見ながら操作部６の各種キーを操作することにより行う。
以下、湯煎モードの料理メニューとして『マニュアル  ユーザー設定(1)』が選択された場合の例で説明する。
【００８８】
開始温度の設定・変更は、操作部６の開始温度キー３３を押すと開始温度表示４６の『開始温度』の文字が点滅し設定・変更が可能なことが表示される。
『開始温度』の文字が点滅した状態で、火力／温度＋キー３５を押すと温度が１℃プラスされ表示され設定される。火力／温度＋キー３５を押した状態を維持（長押し）すると自動的に温度が１℃きざみで上昇し表示が更新されキーを離した時の表示温度に設定される。火力／温度−キー３６を押した場合は１℃マイナスされ表示され長押しした場合は１℃きざみで自動的に下降し表示され、表示温度で設定される。図７の表示の場合、開始温度は３５℃に設定された状態である。
【００８９】
保持温度の設定・変更は、操作部６の保持温度キー３４を押すと保持温度表示４７の『保持温度』の文字が点滅し設定・変更が可能なことが表示される。
『保持温度』の文字が点滅した状態で、火力／温度＋キー３５または火力／温度−キー３６を操作することにより温度は変更・設定される。キーの操作・動作は開始温度の場合と同様である。図７の表示の場合、保持温度は５０℃に設定された状態である。
【００９０】
上昇時間の設定・変更は、上昇時間キー３７を押すと上昇時間表示４８の『上昇時間』の文字が点滅し設定・変更が可能なことが表示される。
『上昇時間』の文字が点滅した状態で、時間＋キー３９または時間−キー４０を操作することにより表示される時間は増減し変更・設定される。時間＋キー３９または時間−キー４０の操作により、６０分までは１分きざみで時間は増減するが、６０分を超えると１０分きざみで増減し操作の手間・時間を軽減している。図７の表示の場合、上昇時間は１０分に設定された状態である。
【００９１】
保持時間の設定・変更は、保持時間キー３８を押すと保持時間表示４９の『保持時間』の文字が点滅し設定・変更が可能なことが表示される。
『保持時間』の文字が点滅した状態で、時間＋キー３９または時間−キー４０を操作することにより表示される時間は増減し変更・設定される操作は上昇時間の操作と同様である。図７の表示の場合、保持時間は５分に設定された状態である。
【００９２】
制御手段１８は、上記の操作により設定された、開始温度、保持温度、上昇時間、および保持時間の各情報を、『マニュアル  ユーザー設定(1)』の料理メニューに対応する加熱条件の情報として記憶手段に記憶させる。
【００９３】
以降、湯煎モードにおいて、『マニュアル  ユーザー設定(1)』の料理メニューを選択して、スタート／停止キー３２が操作されると、制御手段１８は、上記加熱条件および被加熱物１３の温度に基づき、加熱手段２０を制御する（以下「自動調理」ともいう）。
上記図７のような加熱条件の例では、自動調理をスタートさせると、加熱手段２０の加熱により被加熱物を３５℃まで予熱した後、１０分の時間をかけて５０℃まで温度を上昇させ、５０℃で５分間保持した後に終了停止する制御が行われる。なお、制御の詳細は後述する。
【００９４】
次に、湯煎モードにおいて自動調理を実行した場合の動作について説明する。
【００９５】
図８は実施の形態２に係る誘導加熱調理器の自動調理における操作・表示、被加熱物推定温度、火力制御の一例を示す図である。
図８の上段は、自動調理の各工程における、操作部６からの操作内容および表示部１４の表示内容を示している。
図８の中段は、自動調理の各工程における、温度検知手段３１により検知された被加熱物１３の推定温度（被加熱物推定温度）を示している。
図８の下段は、自動調理の各工程における、加熱手段２０の火力（出力）を示している。
【００９６】
［操作・表示］
まず、図８の上段に基づき、自動調理における操作・表示について、図９〜図１１を参照しつつ説明する。
【００９７】
（予熱工程）
図９は実施の形態２に係る「マニュアル  ユーザー設定(1)」メニューのスタート操作時における表示の一例を示す図である。
ユーザーは、上述した「モード設定操作」の後、操作部６のスタート／停止キー３２を押すことにより、選択した調理モード、料理メニューの自動調理を開始させる。
制御手段１８は、まず予熱工程を開始する。このとき、予熱工程中である旨の表示を、表示部１４に表示させる。例えば図９に示すように、動作状態表示５０の『予熱』のサインを表示させる。これにより、予熱工程中であることが明示される。
【００９８】
（昇温工程）
図１０は実施の形態２に係る「マニュアル  ユーザー設定(1)」メニューの予熱完了・湯煎調理開始時における表示の一例を示す図である。
制御手段１８は、被加熱物１３が開始温度に達したと判断すると、予熱が完了して湯煎調理を行うのに適温である旨の表示を、表示部１４に表示させる。例えば図１０に示すように、動作状態表示５０の『適温』のサインを表示させる。これにより、適温であることが明示される。
ユーザーは『適温』のサインを確認して被加熱物１３に、湯煎調理する食材等を投入する。
【００９９】
また、制御手段１８は、開始温度に達すると昇温の工程に移り、上昇時間をタイマーによりカウントする。
このとき制御手段１８は、例えば図１０に示すように、表示部１４に経過表示マーカー５１を、上昇時間表示４８に対応させて表示させ、タイマーのカウントによる時間の経過とともに経過表示マーカー５１の表示位置を移動させる。これにより、自動調理のおおまかな進行状況をユーザーが確認することができる。
【０１００】
本実施の形態においては、進行状況は表示部にグラフィカルに表示しているが、これは一例でありこれに限るものではなく、数値で経過時間や残り時間を表示するなどしても良い。
【０１０１】
また、本実施の形態においては予熱により開始温度に達すると、そのまま湯煎調理の工程に移行する制御としている。これは、湯煎の温度が低いことから、想定される予熱時間が短いため、ユーザーはスタート操作後に適温となるまで待機すれば、特段の操作を行うことなく昇温工程に移行でき、作業性を向上できるためである。
なお、本発明はこれに限らず、予熱工程完了後に開始温度を維持して、ユーザーが食材を投入後にキー操作により湯煎の昇温工程へ移行するようにしても良い。また、ユーザーが食材投入したことによる被加熱物１３の温度の下降の変化を温度検知手段３１で検出するなどして湯煎の昇温工程へ移行するなどしても良い。
【０１０２】
（保持工程）
制御手段１８は、被加熱物１３が保持温度に達したと判断すると、保持工程に移り、保持時間をタイマーによりカウントする。
このとき制御手段１８は、上記と同様に、表示部１４に経過表示マーカー５１を、保持時間表示４９に対応させて表示させ、タイマーのカウントによる時間の経過とともに経過表示マーカー５１の表示位置を移動させる。これにより、自動調理のおおまかな進行状況をユーザーが確認することができる。
次に終了表示・報知について図１０を用いて説明する。
【０１０３】
図１１は実施の形態２に係る「マニュアル  ユーザー設定(1)」メニューの湯煎調理終了時における表示の一例を示す図である。
昇温工程および保持工程が終了すると、制御手段１８は、自動調理が終了した旨の表示を、表示部１４に表示させる。例えば図１１に示すように、上昇時間１０分の昇温工程、保持時間５分の保持工程が終了すると経過表示マーカー５１は保持時間表示４９の右端部まで移動して停止し、動作状態表示５０には『終了停止』のサインを表示させる。これにより、自動調理が終了したことが明示される。
なお、同時にブザー、メロディー、音声等の音の発生により湯煎調理の終了停止を報知するようにしても良い。例えばブザーやスピーカーなどを設けて、音による報知手段をユーザーにより選択できるようにしても良い。
【０１０４】
［加熱制御］
次に、図８の中段および下段に基づき、自動調理における加熱制御の説明を行う。
【０１０５】
（初期設定）
モード設定操作にて湯煎モードが選択されると、制御手段１８は、湯煎モード用の加熱制御に切り替えて、通常の加熱制御よりもより低い出力で駆動できるように設定する。
例えば、インバータ回路１９のパルス幅変調（ＰＷＭ）制御により低い火力となる周波数、デューティ比を設定することや、スナバコンデンサの変更によりより低い出力の波形となるような変更や、間欠運転の比率やタイミングなどを変更する。
これにより、通常の最低火力は１５０Ｗ程度であるのに対し、湯煎モードでは１２０Ｗ以下の低火力も使用可能とする。
【０１０６】
また、制御手段１８は、中心部温度検知素子２７や中心外温度検知素子２８からの出力より被加熱物１３の温度を推定する算出式を変更して、低温域での温度検知に適したものに変更する。
温度検知手段３１は、被加熱物１３からのトッププレート４（結晶化ガラスやセラミック等の耐熱素材）を経て伝熱することにより温度を検知することから、低温での精度を上げるため、温度変化の時間遅れを配慮して被加熱物１３の温度を推定することとなる。
【０１０７】
また、温度制御においても、温度変化の時間遅れを配慮するため、火力や火力投入のタイミングもより、低温での被加熱物の温度制御に適したものであるとともに、湯煎で求められる焦げ付き防止性をより高めたものにする。
温度制御においては、温度的には安全サイドで焦げ付かない低温側を優先するとともに、時間遅れに十分を考慮して温度が追随するのを待ちながら時間はかかっても精度を上がる温度制御が用いられる。
また、焦げ付きの防止や急激な温度変化による食材の結晶の変化や不均一な加熱による部分的に温度が上昇するのを軽減するため、投入される火力に制限が設けられ、通常の加熱に比べ最大火力は制限される。
【０１０８】
（被加熱物負荷検知）
ユーザーは、モード設定操作を行った後、スタート／停止キー３２を押して、自動調理を開始する。
制御手段１８は、自動調理を開始すると、図６に示した、被加熱物検知の判断テーブルに従い、被加熱物１３の有無や大きさ等を、コイル電流検出回路２１と入力電流検出回路２２からの情報より、コイル電流と入力電量とをマッピングすることにより判定する。
湯煎モードが設定されている場合は、図５ではなく図６の湯煎モード用の判定テーブルが用いられ小径鍋や調理用のボールでも適正領域にマッピングされ不適正として加熱調理されないなどが無いことは先の説明どおりである。
【０１０９】
制御手段１８は、判定の結果、小径鍋や調理用ボールと判定した場合は、中心部温度検知素子２７の検出値を優先的に温度検知に用いて加熱制御を行う。
なお、中心外温度検知素子２８の出力を補正用データとして用いる等の制御を行うようにしても良い。
また、制御手段１８は、小径鍋や調理用ボールと判定した場合は、小径鍋や調理用ボールに適した加熱制御が行われ、適切な周波数やデューティでインバータ回路１９より加熱コイル２６は駆動される。
【０１１０】
載置部右８と載置部中央１０の判定テーブルは、右加熱コイルユニット２３と中央加熱コイルユニット２５で加熱コイル２６の形状・巻線仕様が異なることから、湯煎モード用の被加熱物検知テーブルでも判定基準は異なるものになる。
【０１１１】
また、載置部左９の場合は、中心側加熱コイル２９と外周側加熱コイル３０とに、それぞれ、湯煎モード用の判定テーブルが設けられるとともに、中心側加熱コイル２９のコイル電流と入力電流のマッピングによる判定と、外周側加熱コイル３０のコイル電流と入力電流のマッピングによる判定具とを組み合わせてより精度良く行われる。
例えば、中心側加熱コイル２９が負荷有りと判定し、外周側加熱コイル３０は負荷無しと判定した場合は、被加熱物１３の底面が小径の鍋または調理用ボールであると判定する。
このように、被加熱物１３が小径の鍋または調理用ボール等の所定値より小さいと判断したとき、外周側加熱コイル３０に対するインバータ回路１９からの高周波電流の供給を停止する。
また、このとき、中心部温度検知素子２７の検出値を優先的に温度検知に用いて加熱制御を行う。なお、中心外温度検知素子２８の出力を補正用データとして用いる等の制御を行うようにしても良い。
【０１１２】
負荷検知の判定の結果、適正と判定され、被加熱物の負荷に適切な制御が選択された後、予熱工程に入り予熱制御がなされる。
【０１１３】
（予熱工程）
予熱工程の制御においては、制御手段１８は、被加熱物１３の温度が開始温度より低い場合、加熱手段２０を制御して、被加熱物１３の温度を開始温度まで上昇させる。
例えば、制御手段１８は、被加熱物１３が開始温度表示４６の温度である３５℃になるよう加熱するとともに、加熱に伴う被加熱物１３の温度変化より、負荷推定を行い、昇温制御を行うための火力と温度上昇の関係や保温制御のための必要火力を予熱による加熱工程でそれらの初期値を求める。それぞれの工程において初期値でうまく制御できない場合は、被加熱物１３の温度変化をみながら値は変更され適切に制御される。
【０１１４】
また、予熱工程の制御においては、初期においては湯煎モードの被加熱物負荷検知の判定により、定められた最大の火力が投入され（図８においては火力３）、開始温度に近い温度になるにつれて投入される火力は下げられ、最低火力まで下げられた後は間欠での加熱となる。間欠においても、最低火力の投入される時間は開始温度に近くなるにつれ短時間としてより低火力にするとともに、火力を停止しながら被加熱物１３の時間遅れによる温度変化を待つ制御も行われる。
【０１１５】
（昇温工程）
昇温工程の制御（昇温制御）においては、制御手段１８は、被加熱物１３の温度が、開始温度から保持温度に上昇するまでの時間が、上昇時間となるように加熱手段２０を制御する。
このとき、例えば、制御手段１８は、開始温度と保持温度との温度差と、上昇時間とに基づき、単位時間当たりの温度上昇値を求め、被加熱物１３の温度が、単位時間当たりの温度上昇値で上昇するように加熱手段２０を制御する。
例えば、被加熱物１３の推定温度が開始温度の３５℃に対して所定の範囲の温度となると、湯煎調理工程に移り、加熱条件で設定された保持温度５０℃に上昇時間の１０分間をかけて到達するように、開始温度と保持温度の温度差である１５℃を上昇時間の１０分で除して、単位時間当たりの温度上昇値（上昇速度）として１．５℃／分を得る。そして、この１．５℃／分の温度上昇速度で昇温制御する。
【０１１６】
（保持工程）
保持工程の制御（保温制御）においては、制御手段１８は、被加熱物１３の温度が保持温度に達した後、当該保持温度を保持時間のあいだ保持するように、加熱手段２０を制御する。例えば、保持温度５０℃で５分間維持する。
【０１１７】
それぞれの制御においては、経過時間ごとの目標温度に対して所定の温度幅になるように、予熱工程で負荷推定されたパラメータにて温度制御されるが、推定と異なる温度変化であることが、被加熱物１３の温度変化より判断されればパラメータは適切に変更され制御がなされる。
【０１１８】
それぞれの制御においては、湯煎モードの被加熱物負荷検知の判定により、定められた最大の火力よりも低い火力が投入されるが、最低火力でも高い場合は、間欠で火力を投入することにより、より低い投入火力としている。
間欠による火力の投入においても、投入時間および停止の時間は火力調整により制御され、低火力においては、より短時間の火力の投入で長時間の停止する制御がなされる。図８の昇温制御と保温制御では、より低火力の保温制御の方が、投入時間は短く停止時間は長くなっている。
【０１１９】
以上のように本実施の形態においては、湯煎モードにおいて、被加熱物１３の温度が、開始温度から保持温度に上昇するまでの時間が、上昇時間となるように加熱手段２０を制御する。
このため、被加熱物１３を直接加熱する場合であっても、湯煎による調理と同様の加熱調理を行うことができる。
また、湯煎による調理と同様の加熱調理において、所望の温度および時間で被加熱物１３の加熱調理を行うことができる。
また、別の容器の湯を沸かして湯煎調理を行う場合と比較して、直接加熱することにより、湯煎調理の手間が簡素化することができ、家事労働を軽減することができる。
また、別の容器で湯を沸かす必要がないので、湯煎調理に使用する水を節約することができ、環境負荷を低減することができる。
また、水による間接加熱をする場合と比較して、直接加熱することにより、水を加熱するための消費電力が不要となり、エネルギー消費量を削減することができる。
また、温度検知手段３１によりユーザーが被加熱物の温度を測定しながら湯煎調理をする手間を省きながら、所望の温度および時間による加熱制御を行うことができ、湯煎調理の作業性を向上することができる。
したがって、環境負荷が低く、高い調理機能の加熱調理器を得ることができる。
【０１２０】
また、湯煎モードにおいて、開始温度と保持温度との温度差と、上昇時間とに基づき、単位時間当たりの温度上昇値を求め、被加熱物１３の温度が、単位時間当たりの温度上昇値で上昇するように加熱手段２０を制御する。
このため、急減な温度の変化が軽減され被加熱物１３の温度検知の精度が向上し良好な調理効果を得られる。
また、急激な温度変化による食材の結晶の変化による食味の低下や食材の焦げ付きを防止できる。
よって、より湯煎に近い調理効果を得られる。
したがって、調理性能の高い誘導加熱調理器とすることができる。
【０１２１】
また、湯煎モードにおいて、被加熱物１３の温度が保持温度に達した後、当該保持温度を保持時間のあいだ保持するように、加熱手段２０を制御する。
このため、湯煎による調理と同様の加熱調理において、所望の温度および時間で被加熱物１３の加熱調理を行うことができる。
よって、温度検知手段３１によりユーザーが被加熱物の温度を測定しながら湯煎調理をする手間を省きながら、所望の温度および時間による加熱制御を行うことができ、湯煎調理の作業性を向上することができる。
【０１２２】
湯煎モードにおいて、被加熱物１３の温度が開始温度より低い場合、加熱手段２０を制御して、被加熱物１３の温度を開始温度まで上昇させる。
このため、湯煎による調理と同様の加熱調理において、所望の温度および時間で被加熱物１３の加熱調理を行うことができる。
よって、温度検知手段３１によりユーザーが被加熱物の温度を測定しながら湯煎調理をする手間を省きながら、所望の温度および時間による加熱制御を行うことができ、湯煎調理の作業性を向上することができる。
【０１２３】
また、加熱条件を操作入力させる加熱条件設定手段１６を備え、加熱条件設定手段１６から入力された加熱条件の情報を記憶手段に記憶する。
このため、ユーザーの操作により、加熱条件の設定および変更が可能となる。
よって、よりユーザーの嗜好に応じた調理が可能となり、より高い調理機能の加熱調理器を得ることができる。
【０１２４】
また、温度検知手段３１は、被加熱物１３からトッププレート４に伝熱した熱により温度を検出し、制御手段１８は、温度検知手段３１の検出値と、トッププレート４の伝熱特性とに基づき、被加熱物１３の温度を算出して求める。
このため、被加熱物１３の温度変化を温度検知手段３１が検出するに時間遅れへの考慮して温度を算出することができ、検出温度の精度を向上させることができる。
なお、湯煎モードにおいては１００℃以下の低温であるとともにトッププレート４を介しての被加熱物１３からの伝熱であることによる被加熱物１３の温度変化を温度検知手段３１が検出するに時間遅れへの考慮した検出時間を長く持たせるシーケンスや時間遅れを考慮した温度算出手段を用いることや、１００℃以下の低温であることによる本体１内の発熱等による外乱の影響を考慮した内部温度の補正する温度算出手段や複数回の検知を行うシーケンスなどにより検知精度および算出精度が高まり、被加熱物１３の温度検知の精度が高まり良好な火力調整・温度制御が行われ良好な調理効果を得られる。
よって、調理性能の高い誘導加熱調理器とすることができる。
【０１２５】
また、コイル電流および入力電流に応じて被加熱物１３の大きさを判断する判断テーブルの情報が記憶手段に記憶され、制御手段１８は、湯煎モードにおいて、コイル電流、入力電流、および判断テーブルに基づき、被加熱物１３の大きさを判断し、被加熱物１３の大きさに応じて加熱手段２０を制御する。
このため、通常の検知内容では被加熱物１３として適性と判断され加熱制御がなされないことがある調理用ボールや小径鍋においても加熱制御がなされるとともに、これらに適した周波数やデューティ比等で加熱制御がなされる。
よって、良好な火力調整・温度制御が行われ良好な調理効果を得られる。
したがって、調理性能の高い誘導加熱調理器とすることができる。
【０１２６】
また、加熱手段２０は、中心側に配置された中心側加熱コイル２９と、該中心側加熱コイル２９と同心円状に配置された外周側加熱コイル３０とを有し、制御手段１８は、被加熱物１３が所定値より小さいとき、外周側加熱コイル３０に対する高周波電流の供給を停止する。
このため、加熱に寄与しない外周側加熱コイル３０および対応するインバータ回路１９は加熱に伴う電力を消費しない。
よって、消費電力の低い誘導加熱調理器を得ることができる。
【０１２７】
また、温度検知手段３１は、加熱コイルの中心部近傍に配置された中心部温度検知素子２７と、加熱コイルの中心部から外縁までの間に配置された中心外温度検知素子２８とを有し、制御手段１８は、被加熱物１３が所定値より小さいとき、中心部温度検知素子２７により検知された被加熱物１３の温度に基づき、加熱手段２０を制御する。
このため、湯煎に用いられることが多い小径鍋や底面平面部の径が小さい調理用ボールにおいても、被加熱物１３の温度検知の精度が高まり良好な火力調整・温度制御が行われ良好な調理効果を得られる、
よって、調理性能の高い誘導加熱調理器とすることができる。
【０１２８】
実施の形態３．
上記実施の形態２では、湯煎モードの料理メニューとして、ユーザーの操作入力により加熱条件を設定する『マニュアル  ユーザー設定(1)』について説明した。
本実施の形態３では、湯煎モードの料理メニューとして、１または複数の料理メニューに対応する加熱条件が予め記憶手段に記憶され、ユーザーにより選択された料理メニューに応じた加熱条件に基づき、自動調理を行う形態について説明する。
【０１２９】
以下、湯煎モードの料理メニューの例について説明する。
なお、各料理メニューに対応する加熱条件の情報は、上記実施の形態２で説明した「加熱条件の設定・変更」と同様の動作により、ユーザーの操作によって設定または変更が可能である。
【０１３０】
［チョコレート湯煎］
まず、チョコレート湯煎の料理メニューについて説明する。
図１２は実施の形態３に係る「チョコレート湯煎(1)」メニューの自動調理時における表示の一例を示す図である。
図１３は実施の形態３に係る「チョコレート湯煎(2)」メニューの自動調理時における表示の一例を示す図である。
【０１３１】
チョコレートを湯煎調理するための料理メニューとしては、『チョコレート湯煎(1)』と『チョコレート湯煎(2)』の２つのメニューが設定される。
図１２および図１３に自動調理時の表示部１４の一例を示す。
この料理メニューは、チョコレートを溶かして、容器に流して固める製菓の工程に用いられる。チョコレートに含まれるカカオバターの結晶には複数の型（分子の配列）があり、最も良好な結晶にするための温度調整作業（テンパリング）を補助する料理メニューである。これにより、光沢の美しい、滑らかな口当たりのチョコレートを調理可能としている。
【０１３２】
チョコレートを溶かして凝固させる概略の調理工程は、例えば以下である。
（ａ）被加熱物１３に刻んだチョコレートを入れ４５〜５０℃の湯煎で溶かす。
（ｂ）被加熱物１３を浸すことが可能な容器に水を入れ、被加熱物１３に水が入らないように浸しゆっくり攪拌しながら２７〜２８℃に冷やす。
（ｃ）再び、被加熱物１３を湯煎にかけ、攪拌しながら２８〜３３℃の温度まで上昇させる。
（ｄ）容器に入れて固める。
【０１３３】
本実施の形態における加熱調理器の記憶手段には、上記調理工程（ａ）を直接加熱により自動調理する料理メニューとして『チョコレート湯煎(1)』が記憶される。
また、上記調理工程（ｃ）を直接加熱により自動調理する料理メニューとして『チョコレート湯煎(2)』が記憶される。
【０１３４】
なお、『チョコレート湯煎(1)』は、本発明における「第１のチョコレート湯煎メニュー」に相当する。
なお、『チョコレート湯煎(2)』は、本発明における「第２のチョコレート湯煎メニュー」に相当する。
【０１３５】
『チョコレート湯煎(1)』に対応する加熱条件は、上記調理工程（ａ）を実施するため、保持温度が４０℃〜５０℃前後（例えば±１℃）の温度に設定されている。例えば、図１２に示すように保持温度が４５℃に設定される。
なお、他の加熱条件としては、例えば図１２に示すように、開始温度が室温に設定され、上昇時間が５分に設定され、保持時間が３０分に設定される。ここで、温度の設定が室温の場合には、自動調理を開始する際に温度検知手段３１により検知された温度を、当該設定の温度とする。
なお、加熱条件の各設定値は、ユーザーにより任意に設定または変更しても良い。
【０１３６】
『チョコレート湯煎(2)』に対応する加熱条件は、上記調理工程（ｃ）を実施するため、保持温度が２８℃〜３３℃前後（例えば±１℃）の温度に設定されている。例えば、図１３に示すように保持温度が３２℃に設定される。
なお、他の加熱条件としては、例えば図１３に示すように、開始温度が２８℃に設定され、上昇時間が４分に設定され、保持時間が３０分に設定される。
なお、加熱条件の各設定値は、ユーザーにより任意に設定または変更しても良い。
【０１３７】
ユーザーは、チョコレートの湯煎調理を行う際、上記実施の形態２の「モード設定操作」において、上記料理メニューの選択操作をする。
以降、上記実施の形態２と同様に、制御手段１８は湯煎モードにおいて、選択された料理メニューに応じた加熱条件に基づき加熱手段２０を制御して、自動調理を行う。
【０１３８】
このように、チョコレートを湯煎する調理工程を実施する料理メニューとして『チョコレート湯煎(1)』と『チョコレート湯煎(2)』とが設定され、これら料理メニューに対応する加熱条件が設定される。
このため、『チョコレート湯煎(1)』で焦げ付くことなくチョコレートを容易に溶かすことができる。
また、『チョコレート湯煎(2)』で温度調整（テンパリング）することにより、チョコレートを適切に結晶化（結晶を４分類した場合のβ型、融点３４〜３６℃）でき、適切な密度に結晶がきれいに配列される。よって、光沢のある外観と滑らかな口溶けの食感の調理効果を得られる。
また、水での間接加熱による湯煎を行わないことから、チョコレートに水や水蒸気が混入して発生するシュガーブルーム（チョコレート内の糖分が混入した水に溶け外観や食感を低下させる現象）を起こしにくくすることができる。
よって、高品質のチョコレート調理を容易にでき、高機能で調理作業を効率化・省力化できる。
したがって、省エネで環境負荷の低い誘導加熱調理器とすることができる。
【０１３９】
［バター湯煎］
次に、バター湯煎の料理メニューについて説明する。
図１４は実施の形態３に係る「バター湯煎」メニューの自動調理時における表示の一例を示す図である。
【０１４０】
バターを湯煎調理するための料理メニューとしては、『バター湯煎』のメニューが設定される。
図１４に自動調理時の表示部１４の一例を示す。
バターはそのまま加熱すると焦げやすいため、調理前に湯煎により溶かしておく調理工程が用いられる。
溶かしたバターは炒め物、焼き物において、調理前や調理中の調理や調味に使用される。また、湯煎により溶かし、凝固しない温度で放置すると、乳脂肪以外の蛋白質など（乳漿）が底に沈み、上澄みは透澄ましバターとして、バターでは強すぎる繊細な風味が必要となる調味に使用することや、焦げにくい性質を利用して炒めものや揚げ物の油として使用される。
バターを湯煎する調理工程は、被加熱物１３を３０℃前後（例えば±１℃）に加熱して保持する。
【０１４１】
本実施の形態における加熱調理器の記憶手段には、上記調理工程を直接加熱により自動調理する料理メニューとして『バター湯煎』が記憶される。
『バター湯煎』に対応する加熱条件は、上記調理工程を実施するため、保持温度が３０℃前後（例えば±１℃）の温度に設定されている。例えば、図１４に示すように保持温度が３０℃に設定される。
なお、他の加熱条件としては、例えば図１４に示すように、開始温度が室温に設定され、上昇時間が３分に設定され、保持時間が１５分に設定される。ここで、温度の設定が室温の場合には、自動調理を開始する際に温度検知手段３１により検知された温度を、当該設定の温度とする。
なお、加熱条件の各設定値は、ユーザーにより任意に設定または変更しても良い。
【０１４２】
ユーザーは、バターの湯煎調理を行う際、上記実施の形態２の「モード設定操作」において、上記料理メニューの選択操作をする。
以降、上記実施の形態２と同様に、制御手段１８は湯煎モードにおいて、選択された料理メニューに応じた加熱条件に基づき加熱手段２０を制御して、自動調理を行う。
【０１４３】
このように、バターを湯煎する調理工程を実施する料理メニューとして『バター湯煎』が設定され、これら料理メニューに対応する加熱条件が設定される。
このため、水での間接加熱による湯煎することなく、直接加熱により、容易に溶かしバターや澄ましバターを調理できる。
よって、調理作業が軽減されるとともに、溶かしバターや澄ましバターを使用するソテー等の料理を容易に調理でき、調理可能な料理の範囲が広がり、高機能で調理作業を効率化・省力化できる。
したがって、省エネで環境負荷の低い誘導加熱調理器とすることができる。
【０１４４】
［クリームチーズ湯煎］
次に、クリームチーズ湯煎の料理メニューについて説明する。
図１５は実施の形態３に係る「クリームチーズ(1)発酵」メニューの自動調理時における表示の一例を示す図である。
図１６は実施の形態３に係る「クリームチーズ(2)凝固」メニューの自動調理時における表示の一例を示す図である。
【０１４５】
クリームチーズを湯煎調理するための料理メニューとしては、『クリームチーズ(1)発酵』と『クリームチーズ(2)凝固』の２つのメニューが設定される。
図１５および図１６に自動調理時の表示部１４の一例を示す。
【０１４６】
クリームチーズを作る概略の調理工程は、例えば以下である。
（ａ）牛乳と生クリームを被加熱物１３に入れ、２３℃になるまで湯煎であたためる。
（ｂ）２３℃になったら、チーズ用の乳酸菌スターターを少しずつ入れる。
（ｃ）２３℃を保ったまま１５時間ほど発酵させる。
（ｄ）攪拌しながら湯煎にて３０分間で２３℃から５０℃まで加熱し固形分を凝固させる。
（ｅ）濾過して固形分であるクリームチーズを分離する。
【０１４７】
本実施の形態における加熱調理器の記憶手段には、上記調理工程（ａ）〜（ｃ）を直接加熱により自動調理する料理メニューとして『クリームチーズ(1)発酵』が記憶される。
また、上記調理工程（ｄ）を直接加熱により自動調理する料理メニューとして『クリームチーズ(2)凝固』が記憶される。
【０１４８】
『クリームチーズ(1)発酵』に対応する加熱条件は、上記調理工程（ａ）〜（ｃ）を実施するため、保持温度が２３℃前後（例えば±１℃）の温度に設定されている。例えば、図１５に示すように保持温度が２３℃に設定される。
なお、他の加熱条件としては、例えば図１５に示すように、開始温度が室温に設定され、上昇時間が３分に設定され、保持時間が１５時間に設定される。ここで、温度の設定が室温の場合には、自動調理を開始する際に温度検知手段３１により検知された温度を、当該設定の温度とする。
なお、加熱条件の各設定値は、ユーザーにより任意に設定または変更しても良い。
【０１４９】
『クリームチーズ(2)凝固』に対応する加熱条件は、上記調理工程（ｄ）を実施するため、開始温度が２３℃前後（例えば±１℃）に設定され、保持温度が５０℃前後（例えば±１℃）の温度に設定され、上昇時間が約３０分に設定されている。例えば、図１６に示すように、開始温度が２３℃に設定され、保持温度が５０℃の温度に設定され、上昇時間が３０分に設定される。
なお、他の加熱条件としては、例えば図１６に示すように、保持時間が３０分に設定される。
なお、加熱条件の各設定値は、ユーザーにより任意に設定または変更しても良い。
【０１５０】
ユーザーは、クリームチーズを作る調理を行う際、上記実施の形態２の「モード設定操作」において、上記料理メニューの選択操作をする。
以降、上記実施の形態２と同様に、制御手段１８は湯煎モードにおいて、選択された料理メニューに応じた加熱条件に基づき加熱手段２０を制御して、自動調理を行う。
【０１５１】
このように、クリームチーズを作る調理工程を実施する料理メニューとして『クリームチーズ(1)発酵』と『クリームチーズ(2)凝固』とが設定され、これら料理メニューに対応する加熱条件が設定される。
このため、水での間接加熱による湯煎することなく、直接加熱によって容易にクリームチーズを作ることができる。
よって、調理作業が軽減されるとともに、クリームチーズを使用する料理を容易に調理でき調理可能な料理の範囲が広がり、高機能で調理作業を効率化・省力化できる。
したがって、省エネで環境負荷の低い誘導加熱調理器とすることができる。
【０１５２】
［モッツアレラチーズ湯煎］
次に、モッツアレラチーズ湯煎の料理メニューについて説明する。
図１７は実施の形態３に係る「モッツアレラチーズ(1)凝固」メニューの自動調理時における表示の一例を示す図である。
図１８は実施の形態３に係る「モッツアレラチーズ(2)分離」メニューの自動調理時における表示の一例を示す図である。
【０１５３】
モッツアレラチーズを作る調理をするための料理メニューとしては、『モッツアレラチーズ(1)凝固』と『モッツアレラチーズ(2)分離』の２つのメニューが設定される。
図１７および図１８に自動調理時の表示部１４の一例を示す。
【０１５４】
モッツアレラチーズを作る調理工程は、例えば以下である。
（ａ）牛乳を３２℃になるまで湯煎であたためる。
（ｂ）３２℃になったら、ヨーグルトスターターを入れ３０分間放置する。
（ｃ）３２℃を保ったまま塩化カルシウム・レンネットの順で添加し撹拌後３０分放置する。
（ｄ）攪拌しながら湯煎にて３５分間で３２℃から４２℃まで加熱し固形分を凝固させる。
（ｅ）濾過して固形分を４２℃にしてｐＨ５．２になるまで約２時間保持する。
【０１５５】
本実施の形態における加熱調理器の記憶手段には、上記調理工程（ａ）〜（ｃ）を直接加熱により自動調理する料理メニューとして『モッツアレラチーズ(1)凝固』が記憶される。
また、上記調理工程（ｄ）〜（ｅ）を直接加熱により自動調理する料理メニューとして『モッツアレラチーズ(2)分離』が記憶される。
【０１５６】
『モッツアレラチーズ(1)凝固』に対応する加熱条件は、上記調理工程（ａ）〜（ｃ）を実施するため、保持温度が３２℃前後（例えば±１℃）の温度に設定されている。例えば、図１７に示すように保持温度が３２℃に設定される。
なお、他の加熱条件としては、例えば図１７に示すように、開始温度が室温に設定され、上昇時間が３分に設定され、保持時間が６０分に設定される。ここで、温度の設定が室温の場合には、自動調理を開始する際に温度検知手段３１により検知された温度を、当該設定の温度とする。
なお、加熱条件の各設定値は、ユーザーにより任意に設定または変更しても良い。
【０１５７】
『モッツアレラチーズ(2)分離』に対応する加熱条件は、上記調理工程（ｄ）〜（ｅ）を実施するため、開始温度が３２℃前後（例えば±１℃）に設定され、保持温度が４２℃前後（例えば±１℃）の温度に設定され、上昇時間が約３５分に設定されている。例えば、図１８に示すように、開始温度が３２℃に設定され、保持温度が４２℃の温度に設定され、上昇時間が３５分に設定される。
なお、他の加熱条件としては、例えば図１８に示すように、保持時間が２時間に設定される。
なお、加熱条件の各設定値は、ユーザーにより任意に設定または変更しても良い。
【０１５８】
ユーザーは、モッツアレラチーズを作る調理を行う際、上記実施の形態２の「モード設定操作」において、上記料理メニューの選択操作をする。
以降、上記実施の形態２と同様に、制御手段１８は湯煎モードにおいて、選択された料理メニューに応じた加熱条件に基づき加熱手段２０を制御して、自動調理を行う。
【０１５９】
このように、モッツアレラチーズを作る調理工程を実施する料理メニューとして『モッツアレラチーズ(1)凝固』と『モッツアレラチーズ(2)分離』とが設定され、これら料理メニューに対応する加熱条件が設定される。
このため、水での間接加熱による湯煎することなく、直接加熱により容易にモッツアレラチーズを作ることができる。
よって、調理作業が軽減されるとともに、モッツアレラチーズを使用する料理を容易に調理でき、調理可能な料理の範囲が広がり、高機能で調理作業を効率化・省力化できる。
したがって、省エネで環境負荷の低い誘導加熱調理器とすることができる。
【０１６０】
［メレンゲ湯煎］
次に、メレンゲ湯煎の料理メニューについて説明する。
図１９は実施の形態３に係る「メレンゲ湯煎」メニューの自動調理時における表示の一例を示す図である。
【０１６１】
メレンゲを湯煎調理するための料理メニューとしては、『メレンゲ湯煎』のメニューが設定される。
図１９に自動調理時の表示部１４の一例を示す。
メレンゲはスポンジケーキの生地や、バタークリームやムースを作る時などに用いられる中間調理物であり、温めないコールドメレンゲや加温して作るホットメレンゲなどがあり、このメニューはホットメレンゲを作る際に使用される。
【０１６２】
メレンゲを作る調理工程は、例えば以下である。
（ａ）被加熱物１３に卵白を入れ湯煎にて４５℃前後（例えば±１℃）にあたためる。
（ｂ）４５℃を保った状態で最初は卵白を攪拌し、その後に砂糖を入れていく。
（ｃ）砂糖を入れ終わったら、湯煎から外し冷めるまで攪拌し泡立てる。
【０１６３】
本実施の形態における加熱調理器の記憶手段には、上記調理工程（ａ）および（ｂ）を直接加熱により自動調理する料理メニューとして『メレンゲ湯煎』が記憶される。
【０１６４】
『メレンゲ湯煎』に対応する加熱条件は、上記調理工程（ａ）および（ｂ）を実施するため、４０℃〜６０℃前後（例えば±１℃）の温度に設定されている。例えば、図１９に示すように保持温度が４５℃に設定される。
なお、他の加熱条件としては、例えば図１９に示すように、開始温度が室温に設定され、上昇時間が３分に設定され、保持時間が３０分に設定される。ここで、温度の設定が室温の場合には、自動調理を開始する際に温度検知手段３１により検知された温度を、当該設定の温度とする。
なお、加熱条件の各設定値は、ユーザーにより任意に設定または変更しても良い。
【０１６５】
ユーザーは、チョコレートの湯煎調理を行う際、上記実施の形態２の「モード設定操作」において、上記料理メニューの選択操作をする。
以降、上記実施の形態２と同様に、制御手段１８は湯煎モードにおいて、選択された料理メニューに応じた加熱条件に基づき加熱手段２０を制御して、自動調理を行う。
【０１６６】
このように、メレンゲを湯煎する調理工程を実施する料理メニューとして『メレンゲ湯煎』が設定され、これら料理メニューに対応する加熱条件が設定される。
このため、水での間接加熱による湯煎することなく、直接加熱により容易にメレンゲを作ることができる。
よって、調理作業が軽減されるとともに、メレンゲを使用するスポンジケーキやバタークリームやムース等の料理を容易に調理でき調理可能な料理の範囲が広がり、高機能で調理作業を効率化・省力化できる。
したがって、省エネで環境負荷の低い誘導加熱調理器とすることができる。
【０１６７】
［下ごしらえ］
ここで、例えばメレンゲなどの中間料理物を使用する、他の中間調理物の調理を実施するための動作について説明する。
例えばメレンゲは、本体１の調理室１１で調理されるスポンジ生地に使用されることから、湯煎モードのメレンゲ湯煎の調理メニューと共に、調理室１１による自動調理を行うための調理メニュー（以下「調理室調理メニュー」という）を表示する。
【０１６８】
制御手段１８の記憶手段には、調理室料理メニューに対応する加熱条件として第２の加熱手段の加熱制御に関する情報が記憶される。例えば、『スポンジケーキ』に対応する加熱条件として、調理室１１内の第２の加熱手段を、所定の温度で所定時間加熱する条件が設定される。
【０１６９】
このように、メレンゲ湯煎のメニューは本体１の調理室１１内で、ケーキを焼くための生地にも使用されることから、上述したメレンゲ湯煎が完了すると、制御手段１８は、調理室料理メニューの『スポンジケーキ』メニューを、表示部１４に表示させる（図示せず）。
なお、このとき、例えば、『スポンジケーキ』のメニュー表示に加え、自動調理するか否かをユーザーに問い合わせる旨の表示をするようにしても良い。
なお、調理室料理メニューはこれに限るものではなく、任意の料理に対応するメニューを設けることができる。また、ここでは、メレンゲ湯煎において、調理室料理メニューを表示させる場合を説明するが、これに限らず他の料理メニューでも良い。
【０１７０】
ユーザーの操作により調理室料理メニューが選択操作された場合、制御手段１８は、記憶手段に記憶された、調理室料理メニューに対応する加熱条件に従い、調理室１１内の第２の加熱手段を制御する。
例えば、『スポンジケーキ』のメニューが選択されると、調理室１１でスポンジケーキを調理する加熱制御が行われる。
【０１７１】
このように、湯煎モードの料理メニューと共に、調理室１１で実施する料理メニューを表示する。
このため、湯煎モードの料理メニューと調理室１１での調理との連携を図ることができ、複数の調理工程を本体１に備える調理手段で調理可能にするとともにスムーズな連携でユーザーをアシストして調理の作業性を高め、調理を簡易化することができる。
また、例えば調理室でスポンジケーキを焼く調理を行う場合に、湯煎モードにメレンゲ湯煎の料理メニューがあることから、容易にケーキ生地の下ごしらえができる。
また、料理メニューより関連する調理室の調理メニューが選択可能なことから、複数の調理工程を１台でできるとともに、メニューが連携して容易に調理ができる。
よって、作業性が向上することから、高機能で調理作業を効率化・省力化できる誘導加熱調理器とすることができる。
【０１７２】
［ゼラチン］
次に、ゼラチン湯煎の料理メニューについて説明する。
図２０は実施の形態３に係る「ゼラチン湯煎」メニューの自動調理時における表示の一例を示す図である。
【０１７３】
ゼラチンを湯煎調理するための料理メニューとしては、『ゼラチン』のメニューが設定される。
図２０に自動調理時の表示部１４の一例を示す。
ゼラチンはゼリーやグミといった製菓の材料として用いられ、粉または固形のゼラチンを湯煎で溶かした後に、調味料や具材などを混ぜ合わせた後、容器に入れ冷却して完成する。
ゼラチンの融解温度は約２４℃であるが、製菓で使用される場合は砂糖が添加されると６０℃程度となるため、ゼラチン湯煎の料理メニューにおいては被加熱物１３が６０℃になるよう低火力にて緩やかに直接加熱する。
【０１７４】
本実施の形態における加熱調理器の記憶手段には、上記調理工程を直接加熱により自動調理する料理メニューとして『ゼラチン』が記憶される。
『ゼラチン』に対応する加熱条件は、上記調理工程を実施するため、保持温度が６０℃〜７０℃前後（例えば±１℃）の温度に設定されている。例えば、図２０に示すように保持温度が６０℃に設定される。
なお、他の加熱条件としては、例えば図２０に示すように、開始温度が室温に設定され、上昇時間が５分に設定され、保持時間が２０分に設定される。ここで、温度の設定が室温の場合には、自動調理を開始する際に温度検知手段３１により検知された温度を、当該設定の温度とする。
なお、加熱条件の各設定値は、ユーザーにより任意に設定または変更しても良い。
【０１７５】
ユーザーは、ゼラチンの湯煎調理を行う際、上記実施の形態２の「モード設定操作」において、上記料理メニューの選択操作をする。
以降、上記実施の形態２と同様に、制御手段１８は湯煎モードにおいて、選択された料理メニューに応じた加熱条件に基づき加熱手段２０を制御して、自動調理を行う。
【０１７６】
このように、ゼラチンを湯煎する調理工程を実施する料理メニューとして『ゼラチン湯煎』が設定され、これら料理メニューに対応する加熱条件が設定される。
このため、水での間接加熱による湯煎することなく、直接加熱により容易にゼラチンを溶かすことができる。
よって、調理作業が軽減されるとともに、ゼラチンを使用するゼリー等の料理を容易に調理でき調理可能な料理の範囲が広がり、高機能で調理作業を効率化・省力化できる。
したがって、省エネで環境負荷の低い誘導加熱調理器とすることができる。
【０１７７】
［パスタ湯煎］
次に、パスタ湯煎の料理メニューについて説明する。
図２１は実施の形態３に係る「パスタ湯煎」メニューの自動調理時における表示の一例を示す図である。
【０１７８】
パスタを湯煎調理するための料理メニューとしては、『パスタ湯煎』のメニューが設定される。
図２１に自動調理時の表示部１４の一例を示す。
パスタ湯煎では、パスタ用のソースの調理とソースとパスタを混ぜ合わせるための料理メニューである。
【０１７９】
パスタのソースに、例えばマヨネーズや卵等の材料に蛋白質を含む場合、従来の加熱調理器で直接加熱すると蛋白質の凝固温度を超えて凝固してしまいうまく作れないことから、湯煎にて調理するパスタソースがある（カルボナーラ、クリーム系ソース等）。
このようなパスタやパスタソースを湯煎する調理工程は、被加熱物１３を５５℃前後（例えば±１℃）になるようにし、卵に含まれる蛋白質が凝固しない低火力にて緩やかに加熱する。
【０１８０】
本実施の形態における加熱調理器の記憶手段には、上記調理工程を直接加熱により自動調理する料理メニューとして『パスタ湯煎』が記憶される。
『パスタ湯煎』に対応する加熱条件は、上記調理工程を実施するため、保持温度が５０℃〜６０℃前後（例えば±１℃）の温度に設定されている。例えば、図２１に示すように保持温度が５５℃に設定される。
なお、他の加熱条件としては、例えば図２１に示すように、開始温度が室温に設定され、上昇時間が３分に設定され、保持時間が１５分に設定される。ここで、温度の設定が室温の場合には、自動調理を開始する際に温度検知手段３１により検知された温度を、当該設定の温度とする。
なお、加熱条件の各設定値は、ユーザーにより任意に設定または変更しても良い。
【０１８１】
ユーザーは、パスタやパスタソースの湯煎調理を行う際、上記実施の形態２の「モード設定操作」において、上記料理メニューの選択操作をする。
以降、上記実施の形態２と同様に、制御手段１８は湯煎モードにおいて、選択された料理メニューに応じた加熱条件に基づき加熱手段２０を制御して、自動調理を行う。
【０１８２】
このように、パスタやパスタソースを湯煎する調理工程を実施する料理メニューとして『パスタ湯煎』が設定され、これら料理メニューに対応する加熱条件が設定される。
このため、水での間接加熱による湯煎することなく、直接加熱により、カルボナーラ等の蛋白質の凝固状態の調整が必要なパスタソースが容易に作れる。
よって、パスタソースとパスタを適温で合わせることでできることから調理作業が軽減され、高機能で調理作業を効率化・省力化できる。
したがって、省エネで環境負荷の低い誘導加熱調理器とすることができる。
【０１８３】
以上のように本実施の形態においては、複数の料理メニュー毎に加熱条件がそれぞれ記憶され、制御手段１８は、湯煎モードにおいて、選択された料理メニューに応じた加熱条件に基づき、加熱手段２０を制御する。
このため、上記実施の形態２の効果に加え、食材等に応じた料理メニューを設定することができ、食材等に応じて適切な温度および時間で加熱調理を行うことが可能となる。
また、食材等に応じて複数の料理メニューを設定することができ、ユーザーの嗜好に応じたより高い調理機能を持つとともに、操作の容易な加熱調理器を得ることができる。
また、記憶された調理メニューから選択された加熱条件による自動調理をすることで、加熱条件を毎回設定することが不要となり、操作の手間を軽減できる。
【０１８４】
なお、本実施の形態３では、複数の料理メニューが設定される場合を説明したが、本発明はこれに限らず、料理メニューを１つだけ設けても良いし、上述した各調理メニューのうち、１または複数の任意の料理メニューを設けるようにしても良い。
【０１８５】
なお、上記実施の形態１〜３では、加熱手段２０の一例として誘導加熱方式を説明したが、本発明はこれに限らず、加熱手段２０を、ジュール熱を発生する発熱体で構成するようにしても良い。
例えば加熱手段２０をラジェンドヒータにより構成する。なおこの場合、加熱手段２０の周辺は高温となるため、温度検知手段３１を赤外線センサにより構成して、例えばトッププレート４の上面端部に配置し、被加熱物１３の側方からの赤外線により温度を検出するようにするのが望ましい。
【０１８６】
なお、上記実施の形態１〜３では、被加熱物１３を直接加熱して湯煎を行うことを主体に説明してきたが、従来の様に、被加熱物１３を収納可能な一回り大きな別の容器に湯を入れて、その中に被加熱物１３の一部を入れ、この一回り大きな容器をこれまで説明して来た様に加熱制御しても湯煎制御可能である。
【符号の説明】
【０１８７】
１  本体、２  筐体、３  筐体上面、４  トッププレート、５  吸排気口カバー、６  操作部、７  調理室扉、８  載置部右、９  載置部左、１０  載置部中央、１１  調理室、１２  電子回路基板、１３  被加熱物、１４  表示部、１５  表示手段、１６  加熱条件設定手段、１７  調理モード設定手段、１８  制御手段、１９  インバータ回路、２０  加熱手段、２１  コイル電流検出回路、２２  入力電流検出回路、２３  右加熱コイルユニット、２４  左加熱コイルユニット、２５  中央加熱コイルユニット、２６  加熱コイル、２７  中心部温度検知素子、２８  中心外温度検知素子、２９  中心側加熱コイル、３０  外周側加熱コイル、３１  温度検知手段、３２  スタート／停止キー、３３  開始温度キー、３４  保持温度キー、３５  火力／温度＋キー、３６  火力／温度−キー、３７  上昇時間キー、３８  保持時間キー、３９  時間＋キー、４０  時間−キー、４１  調理モードキー、４２  料理メニューキー、４３  調理モード表示、４４  調理モード選択マーカー、４５  料理メニュー表示、４６  開始温度表示、４７  保持温度表示、４８  上昇時間表示、４９  保持時間表示、５０  動作状態表示、５１  経過表示マーカー。
【図１】
2011253639.tif 000003
【図２】
2011253639.tif 000004
【図３】
2011253639.tif 000005
【図４】
2011253639.tif 000006
【図５】
2011253639.tif 000007
【図６】
2011253639.tif 000008
【図６Ａ】
2011253639.tif 000009
【図７】
2011253639.tif 000010
【図８】
2011253639.tif 000011
【図９】
2011253639.tif 000012
【図１０】
2011253639.tif 000013
【図１１】
2011253639.tif 000014
【図１２】
2011253639.tif 000015
【図１３】
2011253639.tif 000016
【図１４】
2011253639.tif 000017
【図１５】
2011253639.tif 000018
【図１６】
2011253639.tif 000019
【図１７】
2011253639.tif 000020
【図１８】
2011253639.tif 000021
【図１９】
2011253639.tif 000022
【図２０】
2011253639.tif 000023
【図２１】
2011253639.tif 000024